(57)【要約】  本発明は音波信号を利用した非同期式逆方向決済運営方法に関するもので、本発明に係る音波信号を利用した非同期式逆方向決済運営方法は、指定された周波数帯域の音波信号を送出するための音波送出機能を具備した加盟店側の端末と通信し、加盟店に訪問した使用者の無線端末に設置された運営アプリと通信可能な運営サーバーを通じて実行される方法において、前記運営サーバーが前記音波送出機能を具備した加盟店側の端末から逆方向決済する金額情報を含む取引登録情報を受信する第１段階と、前記運営サーバーが前記加盟店側の端末を通じて逆方向決済を要請した加盟店を別途に固有識別するとともに、前記取引登録情報に対応する特定の取り引きを唯一に識別するために生成されたＵＧＩＤ（Ｕｎｉｑｕｅｌｙ  Ｇｅｎｅｒａｔｅｄ  ＩＤｅｎｔｉｆｉｃａｔｉｏｎ）を確認する第２段階と、前記運営サーバーが前記取引登録情報とＵＧＩＤを連係して保存する第３段階と、前記運営サーバーが前記加盟店側の端末の音波送出機能を通じて前記ＵＧＩＤを符号化した指定された周波数帯域の音波信号を送出するように要請する第４段階と、前記運営サーバーが前記加盟店側の端末の音波送出機能を通じて送出された指定された周波数帯域の音波信号を認識した使用者の無線端末の運営アプリから前記音波信号を判読して獲得したＵＧＩＤを含む認識情報を受信する第５段階と、前記運営サーバーが前記認識情報に含まれたＵＧＩＤを判読して前記ＵＧＩＤを符号化した音波信号を送出した加盟店側の端末を具備した加盟店を固有識別認証するとともに、前記識別認証された加盟店に備えられた加盟店側の端末を通じて登録された一つ以上の取引登録情報のうち前記ＵＧＩＤを通じて唯一に識別されるいずれか一つの取引登録情報を確認する第６段階と、前記ＵＧＩＤを通じて唯一の取引登録情報を確認した場合、前記運営サーバーが前記確認された取引登録情報に含まれた金額情報を利用して確認された取引金額を含む取引情報を前記使用者の無線端末の運営アプリに提供する第７段階を含む。【選択図】      図１ａ
2018530020.tif 000002
【特許請求の範囲】
【請求項１】
指定された周波数帯域の音波信号を送出するための音波送出機能を具備した加盟店側の端末と通信し、加盟店に訪問した使用者の無線端末に設置された運営アプリと通信可能な運営サーバーを通じて実行される方法において、
前記運営サーバーが前記音波送出機能を具備した加盟店側の端末から逆方向決済する金額情報を含む取引登録情報を受信する第１段階；
前記運営サーバーが前記加盟店側の端末を通じて逆方向決済を要請した加盟店を別途に固有識別するとともに、前記取引登録情報に対応する特定の取り引きを唯一に識別するために生成されたＵＧＩＤ（Ｕｎｉｑｕｅｌｙ  Ｇｅｎｅｒａｔｅｄ  ＩＤｅｎｔｉｆｉｃａｔｉｏｎ）を確認する第２段階；
前記運営サーバーが前記取引登録情報とＵＧＩＤを連係して保存する第３段階；
前記運営サーバーが前記加盟店側の端末の音波送出機能を通じて前記ＵＧＩＤを符号化した指定された周波数帯域の音波信号を送出するように要請する第４段階；
前記運営サーバーが前記加盟店側の端末の音波送出機能を通じて送出された指定された周波数帯域の音波信号を認識した使用者の無線端末の運営アプリから前記音波信号を判読して獲得したＵＧＩＤを含む認識情報を受信する第５段階；
前記運営サーバーが前記認識情報に含まれたＵＧＩＤを判読して前記ＵＧＩＤを符号化した音波信号を送出した加盟店側の端末を具備した加盟店を固有識別認証するとともに、前記識別認証された加盟店に備えられた加盟店側の端末を通じて登録された一つ以上の取引登録情報のうち前記ＵＧＩＤを通じて唯一に識別されるいずれか一つの取引登録情報を確認する第６段階；および
前記ＵＧＩＤを通じて唯一の取引登録情報を確認した場合、前記運営サーバーが前記確認された取引登録情報に含まれた金額情報を利用して確認された取引金額を含む取引情報を前記使用者の無線端末の運営アプリに提供する第７段階；を含む、音波信号を利用した非同期式逆方向決済運営方法。
【請求項２】
前記加盟店側の端末は、
決済のために加盟店に備えられた決済端末、
加盟店内で運営されるか加盟店主が所持した無線端末のうち少なくとも一つを含んでからなることを特徴とする、請求項１に記載の音波信号を利用した非同期式逆方向決済運営方法。
【請求項３】
前記音波送出機能は、
前記加盟店側の端末が決済のために加盟店に備えられた決済端末である場合、
前記決済端末に備えられた音波出力部を通じて指定された周波数帯域の音波信号を送出する機能と前記決済端末と連動する音波装置を通じて指定された周波数帯域の音波信号を送出するように要請する機能のうち少なくとも一つを含み、
前記加盟店側の端末が加盟店内で運営されるか加盟店主が所持した無線端末である場合、
前記無線端末に設置された加盟店用のアプリが前記無線端末の音波出力部を通じて指定された周波数帯域の音波信号を送出する機能を含んでからなることを特徴とする、請求項１に記載の音波信号を利用した非同期式逆方向決済運営方法。
【請求項４】
前記運営サーバーが音波送出機能を具備した加盟店側の端末を運営する加盟店を別途に固有識別するために、重複しないように固有に決定された固有コードを確認する段階；
前記運営サーバーが前記加盟店に対する加盟店登録情報と決済のために加盟店に付与された加盟店情報と前記加盟店側の端末を固有識別する端末情報を一つ以上含む加盟店関連情報を確認する段階；および
前記運営サーバーが前記固有コードと前記加盟店関連情報を連結してデータベースに保存する段階；をさらに含んでからなることを特徴とする、請求項１に記載の音波信号を利用した非同期式逆方向決済運営方法。
【請求項５】
前記取引登録情報は、
決済のために加盟店に付与された加盟店情報、
前記加盟店側の端末を固有識別する端末情報、
音波送出機能を具備した加盟店側の端末を運営する加盟店を別途に固有識別するために、重複しないように固有に決定されて前記加盟店側の端末に備えられた固有コードのうち少なくとも一つをさらに含んでからなることを特徴とする、請求項１または請求項４に記載の音波信号を利用した非同期式逆方向決済運営方法。
【請求項６】
前記第２段階は、前記運営サーバーが前記加盟店を別途に固有識別するとともに、前記取引登録情報に対応する特定の取り引きを唯一に識別するＵＧＩＤを生成する段階を含み、
前記第４段階は、前記運営サーバーが前記加盟店側の端末に前記ＵＧＩＤを提供する段階を含んでからなることを特徴とする、請求項１に記載の音波信号を利用した非同期式逆方向決済運営方法。
【請求項７】
前記取引登録情報は、
前記加盟店側の端末で生成したＵＧＩＤをさらに含むか、または
前記加盟店に前記加盟店側の端末と連動する音波装置が備えられた場合、前記音波装置で生成して加盟店側の端末に提供したＵＧＩＤをさらに含んでからなることを特徴とする、請求項１に記載の音波信号を利用した非同期式逆方向決済運営方法。
【請求項８】
前記ＵＧＩＤは、
複数の加盟店の間に互いに重複せず、各加盟店の取引登録情報間にも重複しない唯一のコード情報を含んで生成されることを特徴とする、請求項１に記載の音波信号を利用した非同期式逆方向決済運営方法。
【請求項９】
前記ＵＧＩＤは、
音波送出機能を具備した加盟店側の端末を運営する加盟店を別途に固有識別するために、重複しないように固有に決定された固有コードを指定した規則を通じてのみ読み出し可能に隠匿し、それぞれの取引登録情報別に重複しないように割り当てられる互いに異なるコード値を含んで生成されることを特徴とする、請求項１に記載の音波信号を利用した非同期式逆方向決済運営方法。
【請求項１０】
前記ＵＧＩＤは、
特定の時間情報と任意に乱数情報のうち少なくとも一つの情報をさらに含んで生成されることを特徴とする、請求項８または請求項９に記載の音波信号を利用した非同期式逆方向決済運営方法。
【請求項１１】
前記第６段階は、
前記ＵＧＩＤを判読して前記ＵＧＩＤに隠匿された固有コードを読み出し、前記読み出した固有コードを通じて前記データベースを照合して前記音波送出機能を具備した加盟店側の端末を運営する加盟店を固有識別認証する段階を含んでからなることを特徴とする、請求項４に記載の音波信号を利用した非同期式逆方向決済運営方法。
【請求項１２】
前記運営サーバーが前記加盟店側の端末を通じて動的生成される使い捨てコードを認証するためのシード情報を確認して保存する段階をさらに含み、
前記認識情報は、前記加盟店側の端末を通じて動的生成されて前記音波信号に符号化された後、前記使用者の無線端末の運営アプリを通じて認識された使い捨てコードをさらに含み、
前記第６段階は、前記シード情報を利用して前記使い捨てコードの有効性を認証する段階をさらに含んでからなることを特徴とする、請求項１に記載の音波信号を利用した非同期式逆方向決済運営方法。
【請求項１３】
前記加盟店に指定された周波数帯域の音波信号を送出する音波装置を具備した場合、前記運営サーバーが前記加盟店の音波装置を通じて動的生成される使い捨てコードを認証するためのシード情報を確認して保存する段階をさらに含み、
前記認識情報は、前記加盟店の音波装置を通じて動的生成されて前記音波信号に符号化された後、前記使用者の無線端末の運営アプリを通じて認識された使い捨てコードをさらに含み、
前記第６段階は、前記シード情報を利用して前記使い捨てコードの有効性を認証する段階をさらに含んでからなることを特徴とする、請求項１に記載の音波信号を利用した非同期式逆方向決済運営方法。
【請求項１４】
前記ＵＧＩＤを通じて唯一の取引登録情報を確認することができなかった場合、前記運営サーバーが前記ＵＧＩＤを通じて固有識別される加盟店に備えられた加盟店側の端末から前記ＵＧＩＤを通じて唯一に識別される取引登録情報を登録待機する段階をさらに含んでからなることを特徴とする、請求項１に記載の音波信号を利用した非同期式逆方向決済運営方法。
【請求項１５】
前記取引金額は、
前記取引登録情報の金額情報を含むか、または
前記取引登録情報の金額情報に割引情報を適用して算出した金額を含んでからなることを特徴とする、請求項１に記載の音波信号を利用した非同期式逆方向決済運営方法。
【請求項１６】
前記取引情報の提供を受けた使用者の無線端末の運営アプリが使用者の無線端末に設置された別途の決済アプリを駆動して前記駆動される決済アプリに前記ＵＧＩＤを伝達する段階；
前記運営サーバーが前記使用者の無線端末の決済アプリから前記ＵＧＩＤを受信する段階；
前記運営サーバーが前記ＵＧＩＤに対応する取引情報を確認して使用者の無線端末の決済アプリに提供する段階；および
前記運営サーバーが前記使用者の無線端末の決済アプリと関連した決済サーバーから前記取引情報に対する決済結果情報を確認する段階をさらに含んでからなることを特徴とする、請求項１に記載の音波信号を利用した非同期式逆方向決済運営方法。
【請求項１７】
前記取引情報の提供を受けた使用者の無線端末の運営アプリが使用者の無線端末に設置された別途の決済アプリを駆動して前記駆動される決済アプリに前記取引情報を伝達する段階；および
前記運営サーバーが前記使用者の無線端末の決済アプリと関連した決済サーバーから前記取引情報に対する決済結果情報を確認する段階をさらに含んでからなることを特徴とする、請求項１に記載の音波信号を利用した非同期式逆方向決済運営方法。
【請求項１８】
前記取引情報の提供を受けた使用者の無線端末の運営アプリが前記取引情報に対する決済手続きを行う段階；および
前記運営サーバーが前記使用者の無線端末の運営アプリと関連した決済サーバーから前記取引情報に対する決済結果情報を確認する段階をさらに含んでからなることを特徴とする、請求項１に記載の音波信号を利用した非同期式逆方向決済運営方法。
【発明の詳細な説明】
【技術分野】
【０００１】
本発明は、指定された周波数帯域の音波信号を送出するための音波送出機能を具備した加盟店側の端末から逆決済のための金額情報を含む取引登録情報の登録時に前記加盟店を別途に固有識別するとともに、前記取引登録情報に対応する特定の取り引きを唯一に識別するために生成されたＵＧＩＤ（Ｕｎｉｑｕｅｌｙ  Ｇｅｎｅｒａｔｅｄ  ＩＤｅｎｔｉｆｉｃａｔｉｏｎ）を確認して前記取引登録情報と連係して保存した後、前記ＵＧＩＤを通じて識別される加盟店に備えられた加盟店側の端末の音波送出機能を通じて前記ＵＧＩＤを符号化した音波信号を送出するように要請し、使用者の無線端末の運営アプリで前記音波信号を判読してＵＧＩＤを認識して伝送すると、前記ＵＧＩＤを判読して前記音波信号を送出した加盟店側の端末を運営する加盟店を固有識別認証するとともに、前記識別認証された加盟店に備えられた加盟店側の端末を通じて登録された一つ以上の取引登録情報のうち前記ＵＧＩＤを通じて唯一に識別されるいずれか一つの取引登録情報を確認して前記使用者の無線端末の運営アプリに提供して決済するように処理するものである。
【背景技術】
【０００２】
従来オフライン加盟店に提供されていた電子決済は、顧客が加盟店にカードを提示すると、加盟店の端末にカードをリーディングしてカード情報を読み出した後、加盟店の端末で前記カード情報を含む決済要請の電文を生成してバン（ＶＡＮ）を通じて伝送すると、カード会社のサーバーで前記決済要請の電文を受信して承認する形態で提供されていた。このように顧客から始まって加盟店の端末、バン、カード会社のサーバーにつながる決済経路を「順方向」と定義する。
【０００３】
一方、従来の順方向決済は、速かにオフラインの決済を提供する長所があるものの、加盟店の立場では、決済の度ことにバンの手数料をはじめとする手数料の費用が過度に請求される問題点が有り、顧客の立場では常に決済用のカードを所持しなければならない不都合な点が有り、カード会社の立場では紛失したカードを利用した不正決済などに効率的に対処し難い問題点が有る。
【０００４】
その上、従来の順方向決済は、顧客のカードを加盟店の端末にリーディングして決済するため、顧客本人とカードを発行したカード会社の他に加盟店に顧客のカード情報を露出してしまう問題点を有している。
【０００５】
一方、最近購買者のモバイルが販売者のモバイルに表示されたバーコードを撮影して決済情報の提供を受けて購買者のモバイルに保存されたクレジットカードを利用して決済を要請した後、決済承認時に購買者のモバイルから近距離通信を通じて販売者のモバイルに承認情報を提供する逆決済方式が提案された（特許公開公報第１０−２０１４−０００７７８１号（２０１４年０１月２０日））。
【０００６】
しかし、従来の逆決済方式の場合、購買者のモバイルが販売者のモバイルに表示されたバーコードを撮影するため、購買者のモバイルで準備してバーコードを撮影するのにすくなくとも５〜６秒以上かかり、従来の順方向決済と比べて時間の遅延が発生する短所を有している。また、従来の逆決済方式は購買者のモバイルで決済した後、近距離通信を通じて販売者のモバイルに承認情報を提供するが、この場合、販売者のモバイルはバーコードを表示した後、購買者のモバイルから近距離通信を通じて承認情報を受信するまで他の決済を提供できない問題点を有している。その上、購買者のモバイルと販売者のモバイル間の近距離通信のためには、あらかじめ購買者のモバイルと販売者のモバイルの間にペアリングなどの相互識別手続きを行わなければならないが、一度の決済のために購買者のモバイルと販売者のモバイルの間にペアリングなどの相互識別手続きを行うというのは非常に不便で拒否感が発生する問題点を有している。
【発明の概要】
【発明が解決しようとする課題】
【０００７】
前記のような問題点を解消するための本発明の目的は、指定された周波数帯域の音波信号を送出するための音波送出機能を具備した加盟店側の端末から逆決済のための金額情報を含む取引登録情報の登録時に前記加盟店を別途に固有識別するとともに、前記取引登録情報に対応する特定の取り引きを唯一に識別するために生成されたＵＧＩＤ（Ｕｎｉｑｕｅｌｙ  Ｇｅｎｅｒａｔｅｄ  ＩＤｅｎｔｉｆｉｃａｔｉｏｎ）を確認して前記取引登録情報と連係して保存した後、前記ＵＧＩＤを通じて識別される加盟店に備えられた加盟店側の端末の音波送出機能を通じて前記ＵＧＩＤを符号化した音波信号を送出するように要請し、使用者の無線端末の運営アプリで前記音波信号を判読してＵＧＩＤを認識して伝送すると、前記ＵＧＩＤを判読して前記音波信号を送出した加盟店側の端末を運営する加盟店を固有識別認証するとともに、前記識別認証された加盟店に備えられた加盟店側の端末を通じて登録された一つ以上の取引登録情報のうち前記ＵＧＩＤを通じて唯一に識別されるいずれか一つの取引登録情報を確認して前記使用者の無線端末の運営アプリに提供して決済するように処理する音波信号を利用した非同期式逆方向決済方法を提供することである。
【課題を解決するための手段】
【０００８】
本発明に係る音波信号を利用した非同期式逆方向決済運営方法は、指定された周波数帯域の音波信号を送出するための音波送出機能を具備した加盟店側の端末と通信し、加盟店に訪問した使用者の無線端末に設置された運営アプリと通信可能な運営サーバーを通じて実行される方法において、前記運営サーバーが前記音波送出機能を具備した加盟店側の端末から逆方向決済する金額情報を含む取引登録情報を受信する第１段階と、前記運営サーバーが前記加盟店側の端末を通じて逆方向決済を要請した加盟店を別途に固有識別するとともに、前記取引登録情報に対応する特定の取り引きを唯一に識別するために生成されたＵＧＩＤ（Ｕｎｉｑｕｅｌｙ  Ｇｅｎｅｒａｔｅｄ  ＩＤｅｎｔｉｆｉｃａｔｉｏｎ）を確認する第２段階と、前記運営サーバーが前記取引登録情報とＵＧＩＤを連係して保存する第３段階と、前記運営サーバーが前記加盟店側の端末の音波送出機能を通じて前記ＵＧＩＤを符号化した指定された周波数帯域の音波信号を送出するように要請する第４段階と、前記運営サーバーが前記加盟店側の端末の音波送出機能を通じて送出された指定された周波数帯域の音波信号を認識した使用者の無線端末の運営アプリから前記音波信号を判読して獲得したＵＧＩＤを含む認識情報を受信する第５段階と、前記運営サーバーが前記認識情報に含まれたＵＧＩＤを判読して前記ＵＧＩＤを符号化した音波信号を送出した加盟店側の端末を具備した加盟店を固有識別認証するとともに、前記識別認証された加盟店に備えられた加盟店側の端末を通じて登録された一つ以上の取引登録情報のうち前記ＵＧＩＤを通じて唯一に識別されるいずれか一つの取引登録情報を確認する第６段階と、前記ＵＧＩＤを通じて唯一の取引登録情報を確認した場合、前記運営サーバーが前記確認された取引登録情報に含まれた金額情報を利用して確認された取引金額を含む取引情報を前記使用者の無線端末の運営アプリに提供する第７段階を含む。
【０００９】
本発明によると、前記加盟店側の端末は決済のために加盟店に備えられた決済端末、加盟店内で運営されるか加盟店主が所持した無線端末のうち少なくとも一つを含むことができる。
【００１０】
本発明によると、前記音波送出機能は、前記加盟店側の端末が決済のために加盟店に備えられた決済端末である場合、前記決済端末に備えられた音波出力部を通じて指定された周波数帯域の音波信号を送出する機能と前記決済端末と連動する音波装置を通じて指定された周波数帯域の音波信号を送出するように要請する機能のうち少なくとも一つを含み、前記加盟店側の端末が加盟店内で運営されるか加盟店主が所持した無線端末である場合、前記無線端末に設置された加盟店用のアプリが前記無線端末の音波出力部を通じて指定された周波数帯域の音波信号を送出する機能を含むことができる。
【００１１】
本発明によると、前記音波信号を利用した非同期式逆方向決済運営方法は、前記運営サーバーが音波送出機能を具備した加盟店側の端末を運営する加盟店を別途に固有識別するために、重複しないように固有に決定された固有コードを確認する段階と、前記運営サーバーが前記加盟店に対する加盟店登録情報と決済のために加盟店に付与された加盟店情報と前記加盟店側の端末を固有識別する端末情報を一つ以上含む加盟店関連情報を確認する段階と、前記運営サーバーが前記固有コードと前記加盟店関連情報を連結してデータベースに保存する段階をさらに含むことができる。
【００１２】
本発明によると、前記取引登録情報は、決済のために加盟店に付与された加盟店情報、前記加盟店側の端末を固有識別する端末情報、音波送出機能を具備した加盟店側の端末を運営する加盟店を別途に固有識別するために、重複しないように固有に決定されて前記加盟店側の端末に備えられた固有コードのうち少なくとも一つをさらに含むことができる。
【００１３】
本発明によると、前記第２段階は、前記運営サーバーが前記加盟店を別途に固有識別するとともに、前記取引登録情報に対応する特定の取り引きを唯一に識別するＵＧＩＤを生成する段階を含み、前記第４段階は、前記運営サーバーが前記加盟店側の端末に前記ＵＧＩＤを提供する段階を含むことができる。
【００１４】
本発明によると、前記取引登録情報は前記加盟店側の端末で生成したＵＧＩＤをさらに含むか、または前記加盟店に前記加盟店側の端末と連動する音波装置が備えられた場合、前記音波装置で生成して加盟店側の端末に提供したＵＧＩＤをさらに含むことができる。
【００１５】
本発明によると、前記ＵＧＩＤは複数の加盟店の間に互いに重複せず、各加盟店の取引登録情報間にも重複しない唯一のコード情報を含んで生成され得る。
【００１６】
本発明によると、前記ＵＧＩＤは音波送出機能を具備した加盟店側の端末を運営する加盟店を別途に固有識別するために、重複しないように固有に決定された固有コードを指定した規則を通じてのみ読み出し可能に隠匿し、それぞれの取引登録情報別に重複しないように割り当てられる互いに異なるコード値を含んで生成され得る。
【００１７】
本発明によると、前記ＵＧＩＤは特定の時間情報と任意に乱数情報のうち少なくとも一つの情報をさらに含んで生成され得る。
【００１８】
本発明によると、前記第６段階は、前記ＵＧＩＤを判読して前記ＵＧＩＤに隠匿された固有コードを読み出し、前記読み出した固有コードを通じて前記データベースを照合して前記音波送出機能を具備した加盟店側の端末を運営する加盟店を固有識別認証する段階を含むことができる。
【００１９】
本発明によると、前記音波信号を利用した非同期式逆方向決済運営方法は、前記運営サーバーが前記加盟店側の端末を通じて動的生成される使い捨てコードを認証するためのシード情報を確認して保存する段階をさらに含み、前記認識情報は前記加盟店側の端末を通じて動的生成されて前記音波信号に符号化された後、前記使用者の無線端末の運営アプリを通じて認識された使い捨てコードをさらに含み、前記第６段階は前記シード情報を利用して前記使い捨てコードの有効性を認証する段階をさらに含むことができる。
【００２０】
本発明によると、前記音波信号を利用した非同期式逆方向決済運営方法は、前記加盟店に指定された周波数帯域の音波信号を送出する音波装置を具備した場合、前記運営サーバーが前記加盟店の音波装置を通じて動的生成される使い捨てコードを認証するためのシード情報を確認して保存する段階をさらに含み、前記認識情報は前記加盟店の音波装置を通じて動的生成されて前記音波信号に符号化された後、前記使用者の無線端末の運営アプリを通じて認識された使い捨てコードをさらに含み、前記第６段階は前記シード情報を利用して前記使い捨てコードの有効性を認証する段階をさらに含むことができる。
【００２１】
本発明によると、前記音波信号を利用した非同期式逆方向決済運営方法は、前記ＵＧＩＤを通じて唯一の取引登録情報を確認することができなかった場合、前記運営サーバーが前記ＵＧＩＤを通じて固有識別される加盟店に備えられた加盟店側の端末から前記ＵＧＩＤを通じて唯一に識別される取引登録情報を登録待機する段階をさらに含むことができる。
【００２２】
本発明によると、前記取引金額は前記取引登録情報の金額情報を含むか、または前記取引登録情報の金額情報に割引情報を適用して算出した金額を含むことができる。
【００２３】
本発明によると、前記音波信号を利用した非同期式逆方向決済運営方法は、前記取引情報の提供を受けた使用者の無線端末の運営アプリが使用者の無線端末に設置された別途の決済アプリを駆動して前記駆動される決済アプリで前記ＵＧＩＤを伝達する段階と、前記運営サーバーが前記使用者の無線端末の決済アプリから前記ＵＧＩＤを受信する段階と、前記運営サーバーが前記ＵＧＩＤに対応する取引情報を確認して使用者の無線端末の決済アプリに提供する段階と、前記運営サーバーが前記使用者の無線端末の決済アプリと関連した決済サーバーから前記取引情報に対する決済結果情報を確認する段階をさらに含むことができる。
【００２４】
本発明によると、前記音波信号を利用した非同期式逆方向決済運営方法は、前記取引情報の提供を受けた使用者の無線端末の運営アプリが使用者の無線端末に設置された別途の決済アプリを駆動して前記駆動される決済アプリで前記取引情報を伝達する段階と、前記運営サーバーが前記使用者の無線端末の決済アプリと関連した決済サーバーから前記取引情報に対する決済結果情報を確認する段階をさらに含むことができる。
【００２５】
本発明によると、前記音波信号を利用した非同期式逆方向決済運営方法は、前記取引情報の提供を受けた使用者の無線端末の運営アプリが前記取引情報に対する決済手続きを行う段階と、前記運営サーバーが前記使用者の無線端末の運営アプリと関連した決済サーバーから前記取引情報に対する決済結果情報を確認する段階をさらに含むことができる。
【発明の効果】
【００２６】
本発明によると、加盟店にカードをリーディングして決済（＝順方向決済）するための決済端末を具備せずとも、単に加盟店に通信網に接続可能な加盟店側の端末を具備することによって、従来の順方向決済と全く反対となる逆方向情報の流れで決済を処理する利点がある。
【００２７】
本発明によると、加盟店に備えられた加盟店側の端末で逆方向決済のための取引登録情報を運営サーバーに登録し、前記逆方向決済を要請した加盟店を別途に固有識別するとともに、前記取引登録情報に対応する特定の取り引きを唯一に識別するために生成されたＵＧＩＤを含む送出情報を符号化した指定された周波数帯域の音波信号を送出した後、前記取引情報に対応する特定の取り引きが完了するまで待機せずとも非同期式で次の決済を直ぐに続けて時間を遅延することなく開始できる利点がある。前記加盟店側の端末を通じて運営サーバーに登録された取引登録情報に対応する取引情報は、前記音波信号に含まれたＵＧＩＤを認識した使用者の無線端末に提供される。前記音波信号を通じて前記ＵＧＩＤを認識した使用者の無線端末は、加盟店側の端末と連動せずに、ただ前記ＵＧＩＤを通じて逆方向決済を要請した加盟店を識別し、前記加盟店で要請した取り引きを識別した後、指定された決済システムの決済サーバーを通じて前記加盟店で要請した決済処理をすることができる。したがって、加盟店はカードをリーディングして決済（＝順方向決済）という従来の決済端末を具備せずとも従来の決済端末よりさらに便利かつ速かに多数の決済を非同期式で処理する利点を有している。
【００２８】
本発明によると、使用者の無線端末の機種や種類にかかわらず、使用者の無線端末に指定された周波数帯域の音波信号の入力を受ける構成部を具備したすべての使用者の無線端末で非同期式で逆方向決済を処理できる利点がある。無線信号を利用する場合、該当無線信号を送受信する構成部を具備していない一部の機種の無線端末では決済処理ができない反面、本発明は音波信号の入力を受ける構成部を具備したすべての機種の無線端末で非同期式で逆方向決済を処理することができる。
【図面の簡単な説明】
【００２９】
【図１ａ】本発明の実施方法により音波信号を利用して非同期式逆方向決済を運営するシステムの構成を図示した図である。
【図１ｂ】本発明の実施方法により音波信号を利用して非同期式逆方向決済を運営するシステムの構成を図示した図である。
【図２】本発明の実施方法に係る運営サーバーの機能の構成を図示した図である。
【図３ａ】本発明の実施方法に係る音波送出機能を具備した加盟店側の端末の機能の構成を図示した図である。
【図３ｂ】本発明の実施方法に係る音波送出機能を具備した加盟店側の端末の機能の構成を図示した図である。
【図４】本発明の実施方法に係る使用者の無線端末のアプリ関連機能の構成を図示した図である。
【図５】本発明の実施方法に係る情報登録過程を図示した図である。
【図６】本発明の一実施方法により非同期式逆方向決済のための逆方向情報の流れの過程を図示した図である。
【図７】本発明の他の一実施方法により非同期式逆方向決済のための逆方向情報の流れの過程を図示した図である。
【図８】本発明の実施方法に係る使用者の無線端末の取引情報確認および決済過程を図示した図である。
【発明を実施するための形態】
【００３０】
以下、添付された図面と説明を参照して本発明の好ましい実施例に対する動作原理を詳細に説明する。ただし、下記に図示される図面と後述される説明は本発明の特徴を効果的に説明するための多様な方法のうち好ましい実施方法に関するものであり、  本発明は下記の図面と説明のみによって限定されるものではない。
【００３１】
すなわち、下記の実施例は本発明の多くの実施例のうち好ましい和集合形態の実施例の例に該当し、下記の実施例において、特定の構成（または段階）を省略する実施例、または特定の構成（または段階）に具現された機能を特定の構成（または段階）に分割する実施例、または二以上の構成（または段階）に具現された機能をいずれか一つの構成（または段階）に統合する実施例、特定の構成（または段階）の動作順序を取り換える実施例などは、下記の実施例で特に言及しなくてもすべて本発明の権利範囲に属することを明白にしておく。したがって、下記の実施例を基準にして部分集合または差集合に該当する多様な実施例が本発明の出願日の遡及を受けて分割され得ることを明らかにしておく。
【００３２】
また、下記において本発明を説明するにおいて、関連した公知の機能または構成に対する具体的な説明が本発明の要旨を曖昧にする恐れがあると判断される場合には、その詳細な説明を省略する。そして、後述される用語は本発明での機能を考慮して定義された用語であって、これは使用者、運用者の意図または慣例などにより変更されうる。したがって、その定義は本発明の全体にわたった内容に基づいて下されるべきである。
【００３３】
結果として、本発明の技術的思想は特許請求の範囲によって定められ、以下の実施例は進歩的な本発明の技術的思想を本発明が属する技術分野で通常の知識を有する者に効率的に説明するための一手段に過ぎないものである。
【００３４】
図１ａと図１ｂは、本発明の実施方法により音波信号を利用して非同期式逆方向決済を運営するシステムの構成を図示した図面である。
【００３５】
より詳細には、図１ａと図１ｂは指定された周波数帯域の音波信号を送出するための音波送出機能を具備した加盟店側の端末３００から逆決済のための金額情報を含む取引登録情報の登録時に前記加盟店を別途に固有識別するとともに、前記取引登録情報に対応する特定の取り引きを唯一に識別するために生成されたＵＧＩＤ（Ｕｎｉｑｕｅｌｙ  Ｇｅｎｅｒａｔｅｄ  ＩＤｅｎｔｉｆｉｃａｔｉｏｎ）を確認して前記取引登録情報と連係して保存した後、前記ＵＧＩＤを通じて識別される加盟店に備えられた加盟店側の端末３００の音波送出機能を通じて前記ＵＧＩＤを符号化した音波信号を送出するように要請し、使用者無線端末４００の運営アプリ４２０で前記音波信号を判読してＵＧＩＤを認識して伝送すると、前記ＵＧＩＤを判読して前記音波信号を送出した加盟店側の端末３００を運営する加盟店を固有識別認証するとともに、前記識別認証された加盟店に備えられた加盟店側の端末３００を通じて登録された一つ以上の取引登録情報のうち前記ＵＧＩＤを通じて唯一に識別されるいずれか一つの取引登録情報を確認して前記使用者無線端末４００の運営アプリ４２０に提供して決済するように処理するシステムの構成を図示したものである。本発明が属した技術分野で通常の知識を有する者であれば、本図１ａまたは図１ｂの実施例を参照するか変形して音波信号を通じて非同期式逆方向決済を運営するシステムに対する多様な実施方法を類推することができるはずである。本発明は本図１ａまたは図１ｂを参照するか変更して類推されるすべての実施方法を含むことができ、本図１ａまたは図１ｂに図示された実施方法にのみその技術的特徴が限定されない。
【００３６】
図１ａは、加盟店側の端末３００と連動する別途の音波装置３６０を通じて指定された周波数帯域の音波信号を送出する実施例を図示したもので、図１ｂは加盟店側の端末３００の音波出力部３０８ｂを通じて指定された周波数帯域の音波信号を送出する実施例を図示したものである。図１ａは使用者無線端末４００に音波信号を認識する運営アプリ４２０と別途の決済アプリ４５０を設置して決済する実施例を図示したもので、図１ｂは使用者無線端末４００に音波信号を認識する運営アプリ４２０が決済する実施例を図示したものである。本発明が属した技術分野で通常の知識を有する者であれば、本図１ａと図１ｂの実施例を部分的に組み合わせて導き出されるすべての実施例を権利範囲に含むことができる。
【００３７】
本発明のシステムは、指定された周波数帯域の音波信号にＵＧＩＤを含む送出情報を符号化して送出するための音波送出機能を具備した加盟店側の端末３００と、前記加盟店側の端末３００の音波送出機能を通じて送出された音波信号の入力を受けて判読して前記音波信号に符号化されたＵＧＩＤを認識する運営アプリ４２０を設置して実行する使用者無線端末４００と、指定された周波数帯域の音波信号を送出するための音波送出機能を具備した加盟店側の端末３００と通信して加盟店に訪問した使用者無線端末４００に設置された運営アプリ４２０と通信可能な運営サーバー２００を含んで構成される。一方、本発明のシステムは、使用者無線端末４００に別途の決済アプリ４５０が備えられた場合、決済システム上で前記決済アプリ４５０と連動する認証サーバー１００をさらに含むことができる。一方、本発明のシステムは、前記使用者無線端末４００の運営アプリ４２０や決済アプリ４５０と連動して前記ＵＧＩＤを通じて逆方向に確認された取引情報に対する決済手続きを行う決済サーバー１０５を含んで構成される。
【００３８】
前記加盟店側の端末３００は、加盟店で運営する端末のうち指定された周波数帯域（例えば、非可聴周波数帯域、超音波周波数帯域など）の音波信号にＵＧＩＤを含む送出情報を符号化して送出するための音波送出機能を具備した端末の総称であって、決済のために加盟店に備えられた決済端末３００（例えば、ＰＯＳ端末、ＣＡＴなど）を含むか、または加盟店内で運営されるか加盟店主が所持した無線端末３００のうち少なくとも一つを含むことができる。通常、決済端末３００は加盟店の順方向決済（例えば、決済端末３００でカードをリーディングして決済サーバー１０５に伝送する情報の流れの決済）のために備えられるが、本発明は前記加盟店に備えられた決済端末３００に本発明の非同期式逆方向決済のための加盟店用のアプリ３２０を設置して本発明の加盟店側の端末３００として利用することができる。または前記加盟店側の端末３００は、本発明の非同期式逆方向決済のために製作されて加盟店に供給される決済端末３００を含むことができる。または、前記加盟店側の端末３００は、加盟店内で運営される無線端末３００（例えば、加盟店の名義で通信事業者に加入したスマートフォン、携帯電話、タブレットＰＣなど）や加盟店主が所持した無線端末３００（例えば、加盟店主の名義で通信事業者に加入したスマートフォン、携帯電話、タブレットＰＣなど）を含むことができ、前記無線端末３００には本発明の非同期式逆方向決済を処理する加盟店用のアプリ３２０が設置して実行される。すなわち、本発明の加盟店側の端末３００は、加盟店側で運営して本発明の非同期式逆方向決済のための機能を行える端末であれば、いかなる端末でもよいということを明白にしておく。
【００３９】
本発明の実施方法によると、前記加盟店側の端末３００は、通信網を通じて運営サーバー２００と通信可能であり、金額情報を含む取引登録情報を運営サーバー２００に登録する取引登録機能と、指定された周波数帯域の音波信号にＵＧＩＤを含む送出情報を符号化して送出するための音波送出機能を行う加盟店用のアプリ３２０が設置して実行される。以降、別途の指示がなくても前記加盟店側の端末３００を主体とする説明は前記加盟店用のアプリ３２０を通じて具現されるものであることを明白にしておく。
【００４０】
本発明の実施方法によると、前記加盟店側の端末３００が決済のために加盟店に備えられた決済端末３００であり、前記決済端末３００に指定された周波数帯域の音波信号を送出する音波出力部３０８ｂを具備した場合、前記前記加盟店側の端末３００の音波送出機能は前記音波出力部３０８ｂを通じて前記ＵＧＩＤを含む送出情報を符号化した音波信号を送出する機能を含むことができる。
【００４１】
一方、本発明の他の実施方法によると、前記加盟店側の端末３００が決済のために加盟店に備えられた決済端末３００であり、前記加盟店に指定された周波数帯域の音波信号を送出する別途の音波装置３６０を具備した場合、前記加盟店側の端末３００の音波送出機能は近距離の有線または無線通信を通じて前記音波装置３６０に前記ＵＧＩＤを含む送出情報を符号化した音波信号を送出するように要請する機能を含むことができ、前記音波装置３６０は前記加盟店側の端末３００の要請により前記音波信号を送出することができる。
【００４２】
一方、本発明のさらに他の実施方法により前記加盟店側の端末３００が加盟店内で運営されるか加盟店主が所持した無線端末３００の場合、前記加盟店側の端末３００の音波送出機能は前記加盟店側の端末３００に対応する無線端末３００に設置された加盟店用のアプリ３２０が前記無線端末３００の音波出力部３０８ｂを通じて指定された周波数帯域の音波信号を送出する機能を含むことができる。
【００４３】
本発明の実施方法によると、前記加盟店側の端末３００は、指定された運営サーバー２００に前記加盟店に対する加盟店登録情報（例えば、加盟店名、加盟店主、電話番号、住所、業種／業態、事業者番号など）を伝送して登録することができる。一方、前記加盟店側の端末３００は、所定の決済のために前記加盟店に付与された加盟店情報を指定された保存領域に保存するかまたは入力を受けることができ、指定された運営サーバー２００に前記加盟店情報を伝送して登録することができる。または前記加盟店側の端末３００は、自分を固有識別する端末情報（例えば、加盟店に備えられた各端末機のうち特定の端末を固有識別する情報、または順方向決済を処理する決済端末３００に付与された情報など）を指定された保存領域に保存するかまたは入力を受けることができ、指定された運営サーバー２００に前記端末情報を伝送して登録することができる。
【００４４】
前記加盟店側の端末３００は、音波送出機能を具備した加盟店側の端末３００を通じて逆方向決済を要請した加盟店を別途に固有識別するために、重複しないように固有に決定された固有コードを確認したり割り当てを受けて指定された保存領域に保存し、指定された運営サーバー２００に前記固有コードが登録されるように処理することができる。
【００４５】
本発明の第１固有コードの実施例によると、前記固有コードは音波送出機能を具備した加盟店側の端末３００を具備するか別途の音波装置３６０を具備した加盟店を別途に固有識別するために、重複しないように決定されて前記加盟店に付与されたコード値を含むことができる。通常、加盟店には該当加盟店を識別するための情報（例えば、（（順方向）決済のための加盟店番号などの加盟店情報）が割り当てられていることがあるが、従来に加盟店に割り当てられた情報は、本発明に係る非同期式逆方向決済とは無関係に、単に加盟店を識別するために割り当てられた情報である反面、本発明の固有コードは加盟店に音波送出機能を具備した加盟店側の端末３００を具備するか別途の音波装置３６０を具備した場合に音波送出機能を具備した加盟店側の端末３００を具備するか別途の音波装置３６０を具備した加盟店を別途に固有識別するために、重複しないように決定された固有なコード値を含むことができる。
【００４６】
本発明の第２固有コードの実施例によると、前記固有コードは音波送出機能を具備した加盟店側の端末３００を別途に固有識別するために、重複しないように決定されたコード値を含むことができる。もし、加盟店に備えられた加盟店側の端末３００が従来の（順方向）決済にも利用される決済端末３００の場合、前記決済端末３００は該当決済端末３００を識別するための識別情報（例えば、（（順方向）決済のために決済端末３００に備えられた端末情報など）が備えられ得るが、従来に決済端末３００に備えられた識別情報は本発明の非同期式逆方向決済と無関係に備えられた情報である反面、本発明の固有コードは加盟店に音波送出機能を具備した加盟店側の端末３００を具備した場合、音波送出機能を具備した加盟店側の端末３００を別途に固有識別するために、別途に重複しないように決定されて付与されたコード値を含むことができる。
【００４７】
本発明の第３固有コードの実施例によると、前記固有コードは前記加盟店に音波装置３６０を具備した場合、前記音波装置３６０を固有識別するために重複しないように決定されたコード値を含むことができる。
【００４８】
本発明の第４固有コードの実施例によると、前記固有コードは前記第１〜第３固有コードの実施例のうち少なくとも二以上の実施例を少なくとも部分的に組み合わせたコードを含むことができ、これによって本発明は限定されない。すなわち、本発明の固有コードは、複数の加盟店の間に互いに重複せず、それ自体で、該当加盟店に本発明の非同期式逆方向決済のための音波送出機能を具備した加盟店側の端末３００が備えられているか別途の音波装置３６０が備えられていることを確認できるように付与されたコードであれば、いかなるコードでも本発明の権利範囲に属することを明白にしておく。
【００４９】
本発明の実施方法によると、前記加盟店側の端末３００（または加盟店で利用する情報登録用端末など）は、前記第１〜第４固有コードの実施例のうち少なくとも一つの実施例に対応する固有コードを確認する手続きと指定された運営サーバー２００に前記固有コードを登録する手続きを行うことができる
【００５０】
本発明の第１固有コード確認の実施例によると、前記加盟店側の端末３００は、指定された運営サーバー２００と通信連結（または所定の情報登録手続きを遂行）する途中／後に前記運営サーバー２００と指定されたコードの交換手続きを行い、重複しないように決定されたコード値を交換／合意する手続きを行うことができ、前記交換／合意したコード値を含む固有コードを確認することができる。
【００５１】
本発明の第２固有コード確認の実施例によると、前記加盟店側の端末３００は、指定されたコード生成手続きを通じて重複しないコード値を生成（またはコード値を生成した後、運営サーバー２００を通じて重複検査）し、前記生成されたコード値を含む固有コードを確認することができる。
【００５２】
本発明の第３固有コード確認の実施例によると、前記加盟店側の端末３００と通信する運営サーバー２００は指定されたコード生成手続きを通じて重複しないコード値を生成（またはコード値を生成した後、重複検査）し、前記生成されたコード値を前記加盟店側の端末３００に提供することができ、前記加盟店側の端末３００は、前記運営サーバー２００から重複しないように決定されたコード値を受信し、前記受信されたコード値を含む固有コードを受信することができる。
【００５３】
本発明の第４固有コード確認の実施例によると、前記加盟店に別途の音波装置３６０を具備する場合、前記固有コードは前記音波装置３６０の一側に表示されるかまたは前記音波装置３６０の使用説明書や包装紙などに印刷されたコード値を含むことができ、この場合、前記音波装置３６０を供給した（または購入した）加盟店の加盟店主（または職員）は前記加盟店側の端末３００を通じて前記音波装置３６０のコード値を入力することができ、前記加盟店側の端末３００は、前記入力されたコード値を含む固有コードを確認することができる。
【００５４】
本発明の第５固有コード確認の実施例によると、前記加盟店に別途の音波装置３６０を具備する場合、前記音波装置３６０は指定された保存領域に固有なコード値を記録した状態で加盟店に供給（または販売）することができ、前記音波装置３６０を供給した（または購入した）加盟店の加盟店側の端末３００は、指定された少なくとも一つの近距離通信手段（例えば、ブルートゥース（登録商標）、Ｗｉ−Ｆｉ、ＮＦＣ、ＲＦ通信のうち少なくとも一つの無線通信手段、またはＵＳＢ、ＲＳ２３２等の有線通信手段など）を通じて前記音波装置３６０と連動して前記音波装置３６０の指定された保存領域に記録されたコード値を要請／受信し、前記受信されたコード値を含む固有コードを確認することができる。
【００５５】
本発明の第６固有コード確認の実施例によると、前記加盟店側の端末３００は、前記第１〜第５固有コード確認の実施例のうち少なくとも二以上を少なくとも部分的に組み合わせて重複しないように決定された固有コードを確認することができ、これによって本発明は限定されない。
【００５６】
本発明の実施方法によると、前記加盟店側の端末３００は、前記第１〜第６固有コード確認の実施例のうち少なくとも一つの実施例を通じて確認された固有コードを前記加盟店側の端末３００の指定された保存領域に保存（ただし、既保存された場合、省略）することができる。
【００５７】
本発明の実施方法によると、前記加盟店側の端末３００は、前記第１〜第６固有コード確認の実施例のうち少なくとも一つの実施例を通じて確認された固有コードを指定された運営サーバー２００に伝送（または登録要請）して登録されるように処理することができる。好ましくは、前記運営サーバー２００は、前記加盟店に対する加盟店登録情報、決済のために前記加盟店に付与された加盟店情報、前記加盟店側の端末３００に備えられた端末情報のうち少なくとも一つの加盟店関連情報と前記固有コードを連係して指定されたデータベースに保存することができる。
【００５８】
一方、本発明の他の実施方法によると、前記加盟店側の端末３００で逆方向決済のための金額情報を含む取引登録情報を登録する前、中、後のある一時点に前記音波送出機能を具備した加盟店側の端末３００を通じて逆方向決済を要請した加盟店を別途に固有識別するとともに、前記取引登録情報に対応する特定の取り引きを唯一に識別するコード値形態のＵＧＩＤを動的生成する場合、前記固有コードを登録する手続きが省略され得、本発明は前記固有コードをあらかじめ登録しない実施例も本発明の権利範囲に含むことができることを明白にしておく。
【００５９】
本発明に係る音波信号を利用した非同期式逆方向決済時、前記加盟店側の端末３００は、逆方向決済のための金額情報の入力を受けるか指定された手続きにより金額情報を確認し、前記金額情報を含む取引登録情報を構成して運営サーバー２００に登録する。
【００６０】
本発明の実施方法によると、前記取引登録情報は前記入力／確認された金額情報を含み、実施方法により前記金額情報に対応する商品情報および／または日時情報をさらに含むことができる。一方、前記取引登録情報は前記逆方向決済のために前記取引登録情報を登録する加盟店（または加盟店側の端末３００）を識別するために前記加盟店に対する加盟店登録情報、決済のために前記加盟店に付与された加盟店情報、前記加盟店側の端末３００に備えられた端末情報のうち少なくとも一つの加盟店関連情報をさらに含むことができる。一方、実施方法により前記加盟店側の端末３００（または前記加盟店側の端末３００と関連した音波装置３６０）に前記固有コードが備えられて前記運営サーバー２００を通じて前記固有コードが登録された場合、前記取引登録情報は前記固有コードをさらに含むことができ、これによって本発明は限定されない。
【００６１】
前記運営サーバー２００は、前記音波送出機能を具備した加盟店側の端末３００から決済する金額情報を含む取引登録情報を受信する。一方、前記取引登録情報を受信した運営サーバー２００は前記取引登録情報に含まれた情報と前記運営サーバー２００に既登録された情報を比較／照合することによって、前記取引登録情報を伝送した加盟店側の端末３００が本発明の非同期式逆方向決済のための音波送出機能を具備した加盟店側の端末３００であるかを確認することができる。
【００６２】
前記加盟店側の端末３００から前記取引登録情報を受信した運営サーバー２００は音波送出機能を具備した加盟店側の端末３００を通じて取引登録情報を登録して逆方向決済を要請した加盟店を別途に固有識別するとともに、前記取引登録情報に対応する特定の取り引きを唯一に識別するために生成されたＵＧＩＤを確認する。
【００６３】
一方、本発明の音波信号を利用した非同期式逆方向決済は従来の順方向決済の情報の流れとは異なる逆方向性を有する。すなわち、従来の順方向決済は加盟店の決済端末３００でカードをリーディングして決済サーバー１０５に伝送する情報の流れを有するため、必ず各加盟店は決済サーバー１０５と連動する決済端末３００を具備しなければならなかった。しかし、本発明は加盟店の決済端末３００で順方向に決済を要請しないため、単に加盟店に運営サーバー２００と通信可能な端末３００や無線端末３００を具備した場合にも使用者無線端末４００を通じて逆方向に決済を処理することができる。
【００６４】
また、本発明の音波信号を利用した非同期式逆方向決済は、加盟店側の端末３００で運営サーバー２００に取引登録情報を登録して音波信号を送出した後、前記取引登録情報に対応する決済の完了を待機せずともすぐに次の取引登録情報を登録して次の取り引きを処理できる非同期性を有する。すなわち、本発明の取引登録情報は加盟店側の端末３００から運営サーバー２００に伝送された後、前記加盟店側の端末３００を通じて逆方向決済を要請した加盟店を別途に固有識別するとともに、前記取引登録情報に対応する特定の取り引きを唯一に識別するために生成されたＵＧＩＤとマッピングして保存され、加盟店側の端末３００は、音波送出機能を通じて前記ＵＧＩＤを含む送出情報を符号化した音波信号を送出する。以後、前記取引登録情報に対応する決済は前記音波信号を判読して前記ＵＧＩＤを認識した使用者無線端末４００を通じて処理されるので、前記加盟店側の端末３００は、前記取引登録情報に対応する決済の完了を待機する必要なくすぐに次のの取引登録情報を登録して次の取り引きを処理することができる。
【００６５】
本発明の第１ＵＧＩＤ生成の実施例によると、前記運営サーバー２００は、音波送出機能を具備して前記取引登録情報を伝送した加盟店側の端末３００を運営する加盟店を別途に固有識別するとともに、前記加盟店側の端末３００から受信された前記取引登録情報に対応する特定の取り引きを唯一に識別するＵＧＩＤを生成することができる。
【００６６】
本発明のＵＧＩＤは、重複しないように生成される唯一性と指定された対象を識別する識別性を有した指定されたコード体系のコード情報で生成され得る。好ましくは、本発明のＵＧＩＤは、複数の加盟店の間に互いに重複せず、各加盟店の取引登録情報間にも重複しない唯一のコード情報として生成され、それ自体で、複数の加盟店のうちいずれか一つの特定の加盟店を固有識別するとともに複数の取引登録情報のうちいずれか一つの特定取引登録情報を識別する多重識別性を有する。
【００６７】
一方、実施方法により、本発明のＵＧＩＤは唯一性と識別性以外に任意性をさらに有するように生成され得、これに基づいて前記ＵＧＩＤは識別手段として利用されるとともに、識別手段を認証する認証手段としても利用され得る。例えば、通常のパスワードや使い捨てパスワードなどは別途の識別手段を通じて既識別された対象を認証する認証手段にのみ使われる反面、本発明のＵＧＩＤは唯一性と識別性以外に任意性をさらに有するように生成（例えば、指定されたコード生成アルゴリズムを通じて動的生成された使い捨てコードをさらに含むコード情報生成）されることによって、それ自体で識別手段として利用されるとともに認証手段としても多重利用され得る。
【００６８】
本発明の実施方法によると、前記運営サーバー２００は、音波送出機能を具備した加盟店側の端末３００を通じて逆方向決済を要請した加盟店を別途に固有識別するために、重複しないように固有に決定された固有コードを確認し、あらかじめ指定した規則を通じてのみ前記固有コードを読み出し可能に隠匿するとともに前記取引登録情報に対応するそれぞれの取引別に重複しないように割り当てられる互いに異なるコード値を有するように設計された指定されたコード体系のＵＧＩＤを生成することができる。
【００６９】
本発明の実施方法によると、前記運営サーバー２００は、特定の時間情報と任意に乱数情報のうち少なくとも一つの情報をさらに含む指定されたコード体系のＵＧＩＤを生成することができる。
【００７０】
一方、前記ＵＧＩＤを生成する他の実施例によると、前記運営サーバー２００は、前記固有コードを隠匿せずとも唯一性と識別性を有したＵＧＩＤを生成することができる。前記運営サーバー２００は、少なくとも一定時間の間複数の加盟店の間に互いに重複せず、各加盟店の取引登録情報間にも重複しない臨時の固有コードを決定し、前記決定された臨時の固有コードを含む指定されたコード体系のＵＧＩＤを生成して前記取引登録情報とマッピングして保存した後、前記臨時の固有コードを含むＵＧＩＤを前記加盟店側の端末３００に提供することによって、少なくとも一定時間の間前記加盟店側の端末３００を通じて逆方向決済を要請した加盟店を別途に固有識別するとともに、前記取引登録情報に対応する特定の取り引きを唯一に識別するＵＧＩＤを生成することができる。
【００７１】
本発明の第２ＵＧＩＤ生成の実施例によると、前記ＵＧＩＤは前記運営サーバー２００で生成されず、前記加盟店側の端末３００を通じて生成され得る。この場合、前記加盟店側の端末３００は、前記ＵＧＩＤを含む取引登録情報を前記運営サーバー２００に伝送するか、または別途の通信を通じて前記運営サーバー２００に前記ＵＧＩＤを伝送することができる。一方、前記加盟店側の端末３００を通じて生成されるＵＧＩＤは前記固有コードを隠匿する形態で生成されるかまたは前記固有コードの代わりに別途の臨時の固有コードを含んで生成され得、これによって本発明は限定されない。
【００７２】
本発明の第３ＵＧＩＤ生成の実施例によると、前記加盟店に音波装置３６０を具備した場合、前記ＵＧＩＤは前記加盟店に備えられた音波装置３６０を通じて生成され得、前記加盟店側の端末３００は、前記音波装置３６０を通じて生成されたＵＧＩＤを含む取引登録情報を前記運営サーバー２００に伝送するか、または別途の通信を通じて前記運営サーバー２００に前記ＵＧＩＤを伝送することができる。一方、前記音波装置３６０を通じて生成されるＵＧＩＤは前記固有コードを隠匿する形態で生成されるかまたは前記固有コードの代わりに別途の臨時の固有コードを含んで生成され得、これによって本発明は限定されない。
【００７３】
本発明の第４ＵＧＩＤ生成の実施例によると、前記ＵＧＩＤは前記第１〜第３ＵＧＩＤ生成の実施例のうち少なくとも二以上の実施例を部分的に組み合わせた形態で生成され得、これによって本発明は限定されない。
【００７４】
一方、前記第１〜第４ＵＧＩＤ生成の実施例のうちいずれか一つの実施例を通じてＵＧＩＤが生成されると、前記運営サーバー２００は、前記加盟店側の端末３００から受信された取引登録情報（または前記金額情報を含む少なくとも一部の取引登録情報）と前記ＵＧＩＤを連係して指定された保存媒体に保存管理する。好ましくは、前記運営サーバー２００は、少なくとも前記ＵＧＩＤの有効時間に対応する一定時間の間（または一定時間以上）前記取引登録情報とＵＧＩＤを連係して指定された保存媒体に保存管理することができる。
【００７５】
前記ＵＧＩＤと取引登録情報を指定された保存媒体に保存した後、前記運営サーバー２００は、前記加盟店側の端末３００に前記ＵＧＩＤを含む登録結果情報を提供する。もし、前記加盟店側の端末３００の音波送出機能を通じてビット列形態のＵＧＩＤを符号化した音波信号を送出できない場合、前記運営サーバー２００は、前記加盟店側の端末３００の音波送出機能を通じて送出可能な音波パターンに対応する音波パターン情報（または音波パターンを識別する音波パターンＩＤ）を確認し、前記音波パターン情報（または音波パターンＩＤ）と前記ＵＧＩＤをマッピングして保存した後、前記加盟店側の端末３００に前記ＵＧＩＤとマッチングする音波パターン情報（または音波パターンＩＤ）を含む登録結果情報を提供することができ、この場合、前記加盟店側の端末３００は、前記音波送出機能を通じて前記音波パターン情報（または音波パターンＩＤ）に対応する音波パターンを含む音波信号を送出することができる。
【００７６】
前記加盟店側の端末３００は、前記運営サーバー２００から前記ＵＧＩＤを含む登録結果情報を受信し、指定された音波送出機能を通じて前記ＵＧＩＤを含む送出情報を符号化した音波信号（またはＵＧＩＤとマッチングする音波パターンを含む音波信号）を送出するように処理することができる。
【００７７】
本発明の実施方法によると、前記加盟店側の端末３００は、前記ＵＧＩＤを通じて固有識別される加盟店と前記登録された取引登録情報の有効性を認証するために指定されたコード体系のコード値を含む使い捨てコードを生成することができる。一方、前記加盟店側の端末３００は、前記使い捨てコードを生成して認証を受けるために前記運営サーバー２００と指定されたコード生成用シード情報（例えば、固定シード値および／またはシード値を決定する規則など）を交換／共有する手続きを行うことができ、これによって前記加盟店側の端末３００と運営サーバー２００は使い捨てコードを生成したり認証するためのシード情報を登録保存して管理することができる。好ましくは、前記運営サーバー２００は、前記シード情報と前記固有コードをマッピングして保存管理することができ、実施方法により前記運営サーバー２００は、前記加盟店側の端末３００を通じて登録された加盟店登録情報、加盟店登録情報、端末情報のうちの少なくとも一つの情報と前記シード情報をマッピングして保存して管理することができる。一方、前記加盟店側の端末３００を通じて運営サーバー２００に登録された加盟店登録情報、加盟店登録情報、端末情報、固有コードのうち少なくとも一つの情報がシード情報として利用される場合、別途のシード情報を登録する過程が省略され得、これによって本発明は限定されない。
【００７８】
前記運営サーバー２００に前記加盟店側の端末３００で生成する使い捨てコードを認証するためのシード情報がマッピングして保存された場合、前記加盟店側の端末３００は、前記シード情報に含まれた一つ以上のシード値（例えば、固定シード値等）と動的に決定された少なくとも一つの動的シード値（例えば、現在の時間（または標準時）に対応する時間値および／または使い捨てコードを認証するサーバー側と交換された値等）を指定されたコード生成アルゴリズムに代入して指定されたコード体系の使い捨てコードを動的生成することができる。例えば、前記使い捨てコードはＯＴＰ（Ｏｎｅ  Ｔｉｍｅ  Ｐａｓｓｗｏｒｄ）を生成するアルゴリズムを通じて動的生成されたコードを含むことができる。
【００７９】
本発明の第１使い捨てコード生成の実施例によると、前記加盟店側の端末３００は、前記運営サーバー２００に前記取引登録情報を登録する前に指定されたシード値を指定されたコード生成アルゴリズムに代入して指定されたコード体系の使い捨てコードを動的生成することができる。
【００８０】
本発明の第２使い捨てコード生成の実施例によると、前記加盟店側の端末３００は、前記運営サーバー２００に前記取引登録情報を登録要請した後、前記運営サーバー２００から前記登録結果情報の受信中に指定されたシード値を指定されたコード生成アルゴリズムに代入して指定されたコード体系の使い捨てコードを動的生成することができる。
【００８１】
本発明の第３使い捨てコード生成の実施例によると、前記加盟店側の端末３００は、前記運営サーバー２００から前記登録結果情報を受信した後に指定されたシード値を指定されたコード生成アルゴリズムに代入して指定されたコード体系の使い捨てコードを動的生成することができる。
【００８２】
前記運営サーバー２００から前記ＵＧＩＤを含む登録結果情報が受信され、前記第１〜第３使い捨てコード生成の実施例のうち少なくとも一つの実施例を通じて加盟店側の端末３００で使い捨てコードが生成された場合、前記加盟店側の端末３００は、音波送出機能を通じて前記ＵＧＩＤと使い捨てコードを含む送出情報を符号化した音波信号を送出するように処理することができる。
【００８３】
一方、本発明の他の実施方法によると、前記加盟店に別途の音波装置３６０が備えられた場合、前記使い捨てコードは前記加盟店の音波装置３６０を通じて動的生成され得、この場合、前記音波装置３６０は前記加盟店側の端末３００から提供されたＵＧＩＤと前記生成された使い捨てコードを含む送出情報を符号化した音波信号を送出することができる。
【００８４】
前記加盟店の音波装置３６０は加盟店内に備えられて近距離の使用者無線端末４００で認識可能な指定された周波数帯域の音波信号を送出する装置の総称であって、好ましくは、前記ＵＧＩＤを含む送出情報を符号化した音波信号（またはＵＧＩＤとマッチングする音波パターンを含む音波信号）を近距離に送出する。一方、実施方法により前記音波装置３６０は前記ＵＧＩＤと使い捨てコードを符号化した音波信号を送出することができる。
【００８５】
前記使用者無線端末４００は使用者が所持するか利用し、指定された周波数帯域（例えば、非可聴周波数帯域、超音波周波数帯域）の音波信号の入力を受ける構成部を具備した無線端末の総称であって、好ましくは、前記使用者無線端末４００は前記加盟店側の端末３００の音波送出機能を通じて送出された音波信号を判読して前記ＵＧＩＤを認識する運営アプリ４２０を設置して実行する。一方、実施方法により前記使用者無線端末４００は前記運営アプリ４２０を通じて駆動されて前記ＵＧＩＤを通じて確認された取引情報の決済手続きを行う決済アプリ４５０を設置して実行することができる。
【００８６】
前記使用者無線端末４００の運営アプリ４２０は、前記無線端末４００の音波入力部４１０を通じて入力された指定された周波数帯域の音波信号を確認し、前記音波信号に符号化されたＵＧＩＤを認識することができる。もし、前記音波信号に使い捨てコードがさらに符号化された場合、前記使用者無線端末４００の運営アプリ４２０は、音波信号に符号化された使い捨てコードをさらに認識することができる。以下、便宜上前記音波信号にＵＧＩＤと使い捨てコードが符号化された実施例を中心に本発明の特徴を説明するが、これによって本発明は限定されず、実施方法により前記使い捨てコードは省略可能である。
【００８７】
前記使用者無線端末４００の音波入力部４１０に入力された音波信号に含まれたＵＧＩＤと使い捨てコードが認識されると、前記使用者無線端末４００の運営アプリ４２０は、前記認識されたＵＧＩＤと使い捨てコードを含む認識情報を構成し、前記使用者無線端末４００に接続した少なくとも一つの通信網を経由して指定された運営サーバー２００に前記構成された認識情報を伝送する。
【００８８】
前記運営サーバー２００は、使用者無線端末４００の運営アプリ４２０から指定された通信網を経由して前記ＵＧＩＤと使い捨てコードを含む認識情報を受信する。
【００８９】
前記運営サーバー２００は、前記受信された認識情報に含まれたＵＧＩＤを判読して指定した規則に沿って前記ＵＧＩＤに隠匿された固有コードを読み出す。
【００９０】
本発明の実施方法によると、前記運営サーバー２００は、前記ＵＧＩＤから読み出した固有コードのコード体系を判読して前記固有コードが音波送出機能を具備した加盟店側の端末３００を通じて逆方向決済を要請した加盟店を別途に固有識別するコードであるかを確認することができる。
【００９１】
本発明の実施方法によると、前記運営サーバー２００は、前記ＵＧＩＤから読み出した固有コードを通じて音波送出機能を具備した加盟店側の端末３００を通じて逆方向決済を要請した加盟店の固有コードと加盟店関連情報を連係して保存するデータベースを照合して、前記ＵＧＩＤから読み出した固有コードが実際に前記加盟店側の端末３００を通じて逆方向決済を要請した加盟店を別途に固有識別する固有コードであるかを確認するとともに、前記ＵＧＩＤに対応する加盟店を識別認証することができる。
【００９２】
一方、前記使用者無線端末４００の運営アプリ４２０から受信された認識情報に使い捨てコードが含まれ、前記運営サーバー２００に前記使い捨てコードを認証するためのシード情報が備えられた場合、前記運営サーバー２００は、前記識別認証された加盟店に対応する加盟店関連情報（または前記ＵＧＩＤから読み出した固有コード）と関連したシード情報を確認し、前記シード情報に基づいて一つ以上の固定シード値と少なくとも一つの動的シード値（例えば、現在の時間（または標準時）に対応する時間値および／または使い捨てコードを認証するサーバー側と交換された値等）を指定されたコード生成アルゴリズムに代入して指定されたコード体系の検証コードを生成し、前記認識情報に含まれた使い捨てコードと前記検証コードを比較して前記使い捨てコードの有効性を認証することができる。ここで、前記ＵＧＩＤは使い捨てコードの有効性を認証するための識別手段として利用され、前記使い捨てコードは前記ＵＧＩＤを通じて識別された対象（例えば、加盟店側の端末３００を通じて逆方向決済を要請した加盟店、および／または加盟店側の端末３００を通じて登録された取引登録情報のうちＵＧＩＤを通じて一定時間の間唯一に識別される取引登録情報など）の有効性を認証する認証手段として利用されることを特徴とする。一方、前記使い捨てコードの有効性認証は前記運営サーバー２００と関連した別途のコードサーバーを通じて行われ得、これによって本発明は限定されない。
【００９３】
一方、前記ＵＧＩＤから読み出した固有コードに対応する加盟店が識別認証されると（または前記ＵＧＩＤから読み出した固有コードに対応する加盟店が識別認証されるとともに前記使い捨てコードの有効性が認証された場合）、前記運営サーバー２００は、前記識別認証された加盟店で運営する加盟店側の端末３００から登録された取引登録情報のうち前記ＵＧＩＤを通じて一定時間の間唯一に識別されるいずれか一つの取引登録情報を確認する。本発明の実施方法によると、前記加盟店側の端末３００から運営サーバー２００と登録される取引登録情報は一定時間の間複数個であり得るが、いずれか一つのＵＧＩＤを通じて一定時間の間唯一に識別される取引登録情報はいずれか一つの取引登録情報であることが好ましく、前記運営サーバー２００は、前記識別認証された加盟店で運営する加盟店側の端末３００から登録された取引登録情報のうち前記ＵＧＩＤを通じて一定時間の間唯一に識別されるいずれか一つの取引登録情報を確認することができる。
【００９４】
一方、本発明の拡張された実施例によると、前記ＵＧＩＤの有効時間が経過していないのに前記ＵＧＩＤを通じて固有識別される取引登録情報が確認されない場合、加盟店側の端末３００で取引登録情報を登録する前に前記ＵＧＩＤを符号化した音波信号を先に送出して使用者無線端末４００の運営アプリ４２０を通じて認識されたものであり得る（ただし、このような実施例を排除するのであれば省略可能）。この場合、前記運営サーバー２００は、前記ＵＧＩＤの有効時間（または指定されたタイムアウト）の間前記加盟店側の端末３００から前記ＵＧＩＤを通じて一定時間の間唯一に識別される取引登録情報が登録されることを待機することができ、前記有効時間（または指定されたタイムアウト）内に登録される取引登録情報のうち前記ＵＧＩＤを通じて一定時間の間唯一に識別される取引登録情報を確認することができる。または前記運営サーバー２００は、前記加盟店側の端末３００（または使用者無線端末４００）に前記ＵＧＩＤを通じて一定時間の間唯一に識別される取引登録情報を登録するように要請する情報を提供することができる。以後、前記運営サーバー２００は、前記使用者無線端末４００の運営アプリ４２０から前記ＵＧＩＤ（またはＵＧＩＤとマッチングする音波パターン）を含む認識情報を再び受信して音波送出機能を具備した加盟店側の端末３００を通じて逆方向決済を要請した加盟店を識別認証して前記ＵＧＩＤを通じて唯一に識別される取引登録情報を確認する過程を再び行うことができる
【００９５】
前記ＵＧＩＤを通じて固有識別された加盟店で運営する加盟店側の端末３００を通じて登録された一つ以上の取引登録情報のうち前記ＵＧＩＤを通じて一定時間の間唯一に識別されるいずれか一つの取引登録情報が確認されると、前記運営サーバー２００は、前記確認された取引登録情報の金額情報を確認し、前記金額情報に基づいて前記使用者無線端末４００を通じて逆方向決済する取引金額を確認／算出する。
【００９６】
本発明の第１取引金額の実施例によると、前記運営サーバー２００は、前記確認された取引登録情報の金額情報を前記取引金額として確認することができる。
【００９７】
本発明の第２取引金額の実施例によると、前記運営サーバー２００は、前記認識情報を伝送した使用者無線端末４００（または運営アプリ４２０）に適用する割引情報を確認するかまたは前記無線端末４００（または運営アプリ４２０）の使用者に適用する割引情報を確認し、前記確認された取引登録情報の金額情報から前記割引情報に対応する金額を差し引いて（または割引）前記取引金額を算出することができる。
【００９８】
本発明の第３取引金額の実施例によると、前記認識情報を伝送した使用者無線端末４００（または無線端末４００の使用者）は前記確認された取引登録情報の金額情報のうち一部の金額を決済し、残りの金額は他の使用者を通じて決済する場合、前記運営サーバー２００は、前記使用者無線端末４００の運営アプリ４２０と連動して前記取引登録情報の金額情報のうち前記使用者無線端末４００（または無線端末４００の使用者）が決済する一部の金額を確認／算出し、前記確認された一部の金額を前記取引金額として確認／決定することができる。
【００９９】
本発明の第４取引金額の実施例によると、前記取引金額は前記第１〜第３取引金額の実施例のうち少なくとも二以上の実施例を少なくとも部分的に組み合わせた形態で確認／算出され得、これによって本発明は限定されない。
【０１００】
前記取引登録情報の金額情報に対応する取引金額が確認／算出されると、前記運営サーバー２００は、前記確認／算出した取引金額を含んで実施方法により前記取引登録情報に含まれた少なくとも一つの情報（例えば、商品情報、日時情報、加盟店登録情報、加盟店情報、端末情報のうち少なくとも一つの情報）をさらに含むかおよび／または前記運営サーバー２００に登録された加盟店関連情報（例えば、加盟店登録情報、加盟店情報、端末情報のうち少なくとも一つの情報）をさらに含む取引情報を構成する。前記運営サーバー２００は、前記使用者無線端末４００の運営アプリ４２０に前記構成された取引情報を伝送する。一方、前記運営サーバー２００は、前記ＵＧＩＤと取引情報を連係して一定時間の間保存管理することができ、前記取引情報が前記取引登録情報と同じ構成情報を有した場合、別途にＵＧＩＤと取引情報を連係管理しなくてもよい。
【０１０１】
前記使用者無線端末４００の運営アプリ４２０は、前記運営サーバー２００から前記取引金額を含んで実施方法により取引登録情報に含まれた少なくとも一つの情報および／または運営サーバー２００に登録された加盟店関連情報をさらに含む取引情報を受信し、前記取引情報をアプリ画面上の指定されたインタフェース画面を通じて出力することができる。
【０１０２】
前記運営アプリ４２０の指定されたインタフェース画面を通じて出力された取引情報を確認した使用者は、前記出力された金額情報に基づいて取引情報の決済処理の可否を決定することができ、前記取引情報の決済処理時に前記インタフェース画面を通じて前記取引情報の決済を処理するように指示することができる。
【０１０３】
本発明の第１決済実施例によると、前記使用者無線端末４００に決済処理のための別途の決済アプリ４５０が備えられた場合、前記使用者無線端末４００の運営アプリ４２０は、前記取引情報の決済処理の決定を確認する。もし、前記取引情報の決済処理が決定された場合、前記使用者無線端末４００の運営アプリ４２０は、使用者無線端末４００に備えられた各種アプリのうち前記取引情報の決済を処理する決済アプリ４５０を駆動（または活性化）させながら、前記駆動（または活性化）される決済アプリ４５０に前記ＵＧＩＤを共有伝達することができる。好ましくは、前記運営アプリ４２０は、前記決済アプリ４５０を駆動（または活性化）する命令のパラメーターの形態で前記ＵＧＩＤを前記決済アプリ４５０に共有伝達することができる。または前記運営アプリ４２０は、前記決済アプリ４５０を駆動（または活性化）した後、前記使用者無線端末４００の運営体制が提供するプロセス間の通信プロトコルにより前記決済アプリ４５０とプロセス間の通信手続きを行って前記駆動（または活性化）された決済アプリ４５０に前記ＵＧＩＤを共有伝達することができる。
【０１０４】
前記使用者無線端末４００の決済アプリ４５０は、前記運営アプリ４２０から共有伝達されたＵＧＩＤを確認し、指定された有効時間内に前記ＵＧＩＤを含む要請情報を構成して運営サーバー２００に伝送することができる。前記運営サーバー２００は、前記使用者無線端末４００の決済アプリ４５０から前記ＵＧＩＤを含む要請情報を受信し、前記要請情報に含まれたＵＧＩＤに対応する取引情報を確認して使用者無線端末４００の決済アプリ４５０に提供することができる。一方、実施方法により前記使用者無線端末４００の決済アプリ４５０は、指定された認証サーバー１００に前記ＵＧＩＤを含む要請情報を伝送することができ、この場合、前記運営サーバー２００は、前記認証サーバー１００から前記ＵＧＩＤを含む要請情報を受信し、前記要請情報に含まれたＵＧＩＤに対応する取引情報を確認して前記認証サーバー１００に伝送することができ、前記認証サーバー１００は前記使用者無線端末４００の決済アプリ４５０に前記取引情報を中継提供することができる。
【０１０５】
前記使用者無線端末４００の決済アプリ４５０は、指定された決済インタフェース画面を通じて前記取引情報を出力し、決済システム上の決済サーバー１０５に使用者の既登録された決済手段を通じて前記取引情報の決済を要請し、前記決済サーバー１０５は前記決済アプリ４５０を通じて行われた端末側の決済手続きと関連したサーバー側の決済手続きを行うことができる。前記決済サーバー１０５は前記サーバー側の決済手続きの決済結果情報を確認し、前記確認された決済結果情報を前記使用者無線端末４００の決済アプリ４５０に提供するか、または前記運営サーバー２００に前記確認された決済結果情報を提供（または認証サーバー１００を経由して運営サーバー２００に決済結果情報を提供）することができ、前記運営サーバー２００は、前記決済結果情報を確認し、前記加盟店側の端末３００に前記確認された決済結果情報を提供することができる。
【０１０６】
本発明の第２決済実施例によると、前記使用者無線端末４００に決済処理のための別途の決済アプリ４５０が備えられた場合、前記使用者無線端末４００の運営アプリ４２０は、前記取引情報の決済処理の決定を確認する。もし、前記取引情報の決済処理が決定された場合、前記使用者無線端末４００の運営アプリ４２０は、使用者無線端末４００に備えられた各種アプリのうち前記取引情報の決済を処理する決済アプリ４５０を駆動（または活性化）させながら、前記駆動（または活性化）される決済アプリ４５０に前記取引情報を共有伝達することができる。以後、前記使用者無線端末４００の決済アプリ４５０は、指定された決済インタフェース画面を通じて前記取引情報を出力し、決済システム上の決済サーバー１０５と連動して使用者の既登録された決済手段を通じて前記取引情報に対する決済を処理することができ、前記運営サーバー２００は、前記決済サーバー１０５と連動して前記取引情報に対する決済結果情報を確認し、前記加盟店側の端末３００に前記確認された決済結果情報を提供することができる。
【０１０７】
本発明の第３決済実施例によると、前記使用者無線端末４００の運営アプリ４２０に決済機能が備えられた場合、前記使用者無線端末４００の運営アプリ４２０は、前記取引情報の決済処理の決定を確認する。もし、前記取引情報の決済処理が決定された場合、前記使用者無線端末４００の運営アプリ４２０は、指定された決済インタフェース画面を通じて前記取引情報を出力し、決済システム上の決済サーバー１０５と連動して使用者の既登録された決済手段を通じて前記取引情報に対する決済を処理することができ、前記運営サーバー２００は、前記決済サーバー１０５と連動して前記取引情報に対する決済結果情報を確認し、前記加盟店側の端末３００に前記確認された決済結果情報を提供することができる。
【０１０８】
図２は本発明の実施方法に係る運営サーバー２００の機能の構成を図示した図面である。
【０１０９】
より詳細には、本図２は前記図１に図示された運営サーバー２００の機能の構成に対する実施例を図示したものである。本発明が属した技術分野で通常の知識を有する者であれば、本図２を参照するか変形して前記運営サーバー２００の機能の構成に対する多様な実施方法（例えば、一部構成部が省略されるか、または細分化されるか、または合わせられた実施方法）を類推することができるはずである。本発明は前記類推されるすべての実施方法を含み、本図２に図示された実施方法にのみその技術的特徴が限定されない。
【０１１０】
本発明の実施方法に係る運営サーバー２００は使用者無線端末４００に設置され実行された運営アプリ４２０と連動し、本発明の非同期式逆方向決済のための音波送出機能を具備した加盟店側の端末３００と通信可能であり、使用者無線端末４００の決済アプリ４５０と連動する決済システム上の認証サーバー１００（または決済サーバー１０５等）と通信可能である。
【０１１１】
図２を参照すると、前記運営サーバー２００は、音波送出機能を具備した加盟店側の端末３００を通じて逆方向決済を要請した加盟店に対する加盟店登録情報、決済のために前記加盟店に付与された加盟店情報、前記加盟店側の端末３００に備えられた端末情報のうち少なくとも一つの加盟店関連情報の登録を受けて保存するか、音波送出機能を具備した加盟店側の端末３００を通じて逆方向決済を要請した加盟店を別途に固有識別するために、重複しないように固有に決定された固有コードの登録を受けて前記加盟店関連情報と連係して保存する情報保存部２０５を具備する。
【０１１２】
前記加盟店側の端末３００（または別途の運営端末など）で前記加盟店に対する加盟店登録情報、決済のために前記加盟店に付与された加盟店情報、前記加盟店側の端末３００に備えられた端末情報のうち少なくとも一つの加盟店関連情報を入力／確認して登録要請すると、前記情報保存部２０５は前記加盟店側の端末３００から前記加盟店登録情報、加盟店情報、端末情報のうち少なくとも一つの加盟店関連情報を受信し、前記加盟店の加盟店関連情報を保存するデータベースに前記受信された加盟店関連情報を保存する。
【０１１３】
前記加盟店側の端末３００（または別途の運営端末など）で該当加盟店を別途に固有識別する固有コードの登録を要請すると、前記情報保存部２０５は本発明の第１〜第６固有コード確認の実施例のうち少なくとも一つの実施例により本発明の第１〜第４固有コードの実施例のうち少なくとも一つの実施例に対応する固有コードを確認し、前記確認された固有コードを前記加盟店関連情報と関連するように処理して指定されたデータベースに保存することができる。
【０１１４】
一方、本発明の非同期式逆方向決済のために加盟店側の端末３００や音波装置３６０で使い捨てコードを生成して認証する場合、前記加盟店側の端末３００は、前記使い捨てコードを生成／認証するためのシード値と関連したシード情報を登録要請し、前記情報保存部２０５は前記加盟店側の端末３００と使い捨てコードを生成／認証するのに必要なシード値を確認／決定するためのシード情報を交換／共有する手続きを行い、前記交換／共有されたシード情報を指定されたデータベースに保存する。好ましくは、前記シード情報は前記固有コードと連係して保存されるかおよび／または前記加盟店関連情報と連係して保存され得る。
【０１１５】
図２を参照すると、前記運営サーバー２００は、音波送出機能を具備した加盟店側の端末３００を通じて逆方向決済を要請した加盟店で運営する加盟店側の端末３００から金額情報を含む取引登録情報を受信する取引登録受信部２１０と、音波送出機能を具備した加盟店側の端末３００を通じて逆方向決済を要請した加盟店を別途に固有識別するとともに、前記取引登録情報に対応する特定の取り引きを唯一に識別するために生成されたＵＧＩＤ（Ｕｎｉｑｕｅｌｙ  Ｇｅｎｅｒａｔｅｄ  ＩＤｅｎｔｉｆｉｃａｔｉｏｎ）を確認するＵＧＩＤ確認部２１５と、前記取引登録情報とＵＧＩＤを指定された保存媒体に連係して保存する取引登録管理部２２０と、前記加盟店側の端末３００の音波送出機能を通じて前記ＵＧＩＤを符号化した指定された周波数帯域の音波信号を送出するように要請する音波送出要請部２２５を具備する。
【０１１６】
音波送出機能を具備した加盟店側の端末３００が非同期式逆方向決済のための金額情報の入力を受けるか指定された手続きにより確認し、前記金額情報を含む取引登録情報を構成して運営サーバー２００に伝送すると、前記取引登録受信部２１０は前記加盟店側の端末３００から前記金額情報を含む取引登録情報を受信する。
【０１１７】
本発明の実施方法によると、前記取引登録情報は前記金額情報以外に、実施方法により商品情報や日時情報をさらに含むか、加盟店関連情報をさらに含むことができる。一方、実施方法により前記取引登録情報は前記加盟店側の端末３００に備えられた固有コードをさらに含むことができ、これによって本発明は限定されない。
【０１１８】
本発明の実施方法によると、前記取引登録受信部２１０は前記取引登録情報に含まれた情報（例えば、加盟店関連情報および／または固有コードなど）と前記情報保存部２０５を通じて指定されたデータベースに登録された情報（例えば、加盟店関連情報および／または固有コードなど）を比較／照合して前記取引登録情報を伝送した加盟店側の端末３００を運営する加盟店が音波送出機能を具備した加盟店側の端末３００を通じて逆方向決済を要請した加盟店であるかを確認することができる。
【０１１９】
前記ＵＧＩＤ確認部２１５は音波送出機能を具備した加盟店側の端末３００を通じて逆方向決済を要請した加盟店を別途に固有識別するとともに、前記加盟店側の端末３００から受信された前記取引登録情報に対応する特定の取り引きを唯一に識別するために生成されたＵＧＩＤを確認する。
【０１２０】
本発明の第１ＵＧＩＤ生成の実施例によると、前記ＵＧＩＤ確認部２１５は音波送出機能を具備した加盟店側の端末３００を通じて逆方向決済を要請した加盟店を別途に固有識別するとともに、前記加盟店側の端末３００から受信された前記取引登録情報に対応する特定の取り引きを唯一に識別するＵＧＩＤを生成することができる。
【０１２１】
本発明の第２ＵＧＩＤ生成の実施例により前記加盟店側の端末３００を通じて前記ＵＧＩＤが生成された場合、前記ＵＧＩＤ確認部２１５は前記加盟店側の端末３００から前記ＵＧＩＤを受信するか、または前記加盟店側の端末３００から受信された取引登録情報に含まれた前記ＵＧＩＤを確認することができる。
【０１２２】
本発明の第３ＵＧＩＤ生成の実施例により前記加盟店に備えられた音波装置３６０を通じて前記ＵＧＩＤが生成された場合、前記ＵＧＩＤ確認部２１５は前記加盟店側の端末３００から前記音波装置３６０を通じて生成されたＵＧＩＤを受信するか、または前記加盟店側の端末３００から受信された取引登録情報に含まれた前記ＵＧＩＤを確認することができる。
【０１２３】
本発明の第４ＵＧＩＤ生成の実施例によると、前記ＵＧＩＤ確認部２１５は前記第１〜第３ＵＧＩＤ生成の実施例のうち少なくとも二以上の実施例を部分的に組み合わせた形態で生成されたＵＧＩＤを確認することができ、これによって本発明は限定されない。
【０１２４】
一方、前記ＵＧＩＤ確認部２１５を通じて前記ＵＧＩＤが確認されると、前記取引登録管理部２２０は前記取引登録受信部２１０を通じて受信された取引登録情報（または前記金額情報を含む少なくとも一部の取引登録情報）と前記確認されたＵＧＩＤを連係して指定された保存媒体に保存して管理する。好ましくは、前記ＵＧＩＤは一定時間の間有効な有効時間を含み、前記取引登録管理部２２０は前記ＵＧＩＤの有効時間間（または有効時間以上の指定された時間の間）前記ＵＧＩＤを維持するように指定された保存媒体に保存管理することが好ましい。
【０１２５】
前記取引登録管理部２２０を通じて前記取引登録情報とＵＧＩＤが連係して保存された場合、前記音波送出要請部２２５は前記加盟店側の端末３００の音波送出機能を通じて前記ＵＧＩＤを符号化した指定された周波数帯域の音波信号を送出するように要請することができる。
【０１２６】
本発明の実施方法によると、前記音波送出要請部２２５は前記ＵＧＩＤを含む登録結果情報を構成し、前記取引登録情報を伝送した加盟店側の端末３００で前記ＵＧＩＤを含む登録結果情報を提供することができる。
【０１２７】
前記加盟店側の端末３００は、指定された有効時間内に前記音波送出機能を通じて前記ＵＧＩＤを含む送出情報を符号化した音波信号（またはＵＧＩＤとマッチングする音波パターンを含む音波信号）を送出するように処理する。一方、本発明の実施方法により前記加盟店側の端末３００は、前記ＵＧＩＤ以外に本発明の第１〜第３使い捨てコード生成の実施例のうち少なくとも一つの実施例を通じて生成された使い捨てコードをさらに含む送出情報を符号化した音波信号を送出するように処理することができる。
【０１２８】
前記使用者無線端末４００の運営アプリ４２０は、前記無線端末４００の音波入力部４１０を通じて入力された指定された周波数帯域の音波信号を確認し、前記音波信号に符号化されたＵＧＩＤを認識する。もし、前記音波信号に使い捨てコードがさらに符号化された場合、前記使用者無線端末４００の運営アプリ４２０は、音波信号に符号化された使い捨てコードをさらに認識することができる。前記使用者無線端末４００の運営アプリ４２０は、前記ＵＧＩＤと使い捨てコードを含む認識情報を構成し、前記使用者無線端末４００に接続した少なくとも一つの通信網を経由して指定された運営サーバー２００で前記構成された認識情報を伝送する。
【０１２９】
図２を参照すると、前記運営サーバー２００は、指定された有効時間内に前記加盟店側の端末３００の音波送出機能を通じて近距離に送出された音波信号を受信した使用者無線端末４００の指定された運営アプリ４２０から前記音波信号を判読して認識したＵＧＩＤ（またはＵＧＩＤとマッチングする音波パターン）を含む認識情報を受信する認識情報受信部２３０と、前記認識情報に含まれたＵＧＩＤを判読して前記ＵＧＩＤを符号化した音波信号を送出した加盟店側の端末３００を運営する加盟店を固有識別認証する識別／認証処理部２３５と、前記識別認証された加盟店に備えられた加盟店側の端末３００を通じて登録された一つ以上の取引登録情報のうち前記ＵＧＩＤを通じて唯一に識別されるいずれか一つの取引登録情報を確認する取引登録確認部２４０と、前記ＵＧＩＤを通じて唯一の取引登録情報を確認した場合、前記使用者無線端末４００の運営アプリ４２０で前記確認された取引登録情報に含まれた金額情報を利用して確認された取引金額を含む取引情報を提供する取引情報提供部２４５を具備する。
【０１３０】
前記使用者無線端末４００の運営アプリ４２０で前記音波信号を判読して認識したＵＧＩＤと使い捨てコードを含む認識情報を構成して伝送すると、前記認識情報受信部２３０は前記使用者無線端末４００の運営アプリ４２０から前記ＵＧＩＤと使い捨てコードを含む認識情報を受信する。
【０１３１】
前記識別／認証処理部２３５は、前記認識情報に含まれたＵＧＩＤを確認し、指定した規則に沿って前記ＵＧＩＤを判読して前記ＵＧＩＤに隠匿された固有コードを読み出す。
【０１３２】
本発明の実施方法によると、前記識別／認証処理部２３５は、前記ＵＧＩＤから読み出した固有コードのコード体系を判読して前記固有コードが音波送出機能を具備した加盟店側の端末３００を通じて逆方向決済を要請した加盟店を別途に固有識別するコードであるかを確認することができる。
【０１３３】
本発明の実施方法によると、前記識別／認証処理部２３５は、前記ＵＧＩＤから読み出した固有コードを確認し、前記情報保存部２０５を通じて登録された固有コードを保存するデータベースを確認し、前記ＵＧＩＤから読み出した固有コードを通じて前記データベースの固有コードを照合して前記ＵＧＩＤから読み出した固有コードが実際に前記加盟店側の端末３００を通じて逆方向決済を要請した加盟店を別途に固有識別する固有コードであるかを確認するとともに、前記ＵＧＩＤに対応する加盟店を識別認証することができる。
【０１３４】
一方、前記認識情報受信部２３０を通じて受信された認識情報に使い捨てコードが含まれ、前記運営サーバー２００に前記使い捨てコードを認証するためのシード情報が備えられた場合、前記識別／認証処理部２３５は前記識別認証された加盟店に対応する加盟店関連情報（または前記ＵＧＩＤから読み出した固有コード）と関連したシード情報を確認し、前記シード情報に基づいて一つ以上の固定シード値と少なくとも一つの動的シード値（例えば、現在の時間（または標準時）に対応する時間値および／または使い捨てコードを認証するサーバー側と交換された値等）を指定されたコード生成アルゴリズムに代入して指定されたコード体系の検証コードを生成し、前記認識情報に含まれた使い捨てコードと前記検証コードを比較して前記使い捨てコードの有効性を認証することができる。一方、前記使い捨てコードの有効性認証は前記運営サーバー２００と関連した別途のコードサーバーを通じて行われ得、これによって本発明は限定されない。
【０１３５】
前記識別／認証処理部２３５を通じて加盟店側の端末３００を運営する加盟店が識別認証された場合、前記取引登録確認部２４０は前記識別認証された加盟店の加盟店側の端末３００を通じて登録された取引登録情報のうち前記ＵＧＩＤを通じて唯一に識別されるいずれか一つの取引登録情報を確認する。
【０１３６】
本発明の実施方法によると、前記加盟店側の端末３００から運営サーバー２００と登録される取引登録情報は一定時間の間複数個であり得るが、いずれか一つのＵＧＩＤを通じて一定時間の間唯一に識別される取引登録情報はいずれか一つの取引登録情報であることが好ましく、前記取引登録確認部２４０は前記識別認証された加盟店で運営する加盟店側の端末３００から登録された取引登録情報のうち前記ＵＧＩＤを通じて一定時間の間唯一に識別されるいずれか一つの取引登録情報を確認することができる。
【０１３７】
一方、本発明の拡張された実施例によると、前記ＵＧＩＤの有効時間が経過していないのに前記ＵＧＩＤを通じて固有識別される取引登録情報が確認されない場合、前記取引登録確認部２４０は前記ＵＧＩＤの有効時間（または指定されたタイムアウト）の間前記加盟店側の端末３００から前記ＵＧＩＤを通じて一定時間の間唯一に識別される取引登録情報が登録されることを待機することができ、前記有効時間（または指定されたタイムアウト）内に登録される取引登録情報のうち前記ＵＧＩＤを通じて一定時間の間唯一に識別される取引登録情報を確認することができる。または前記取引登録確認部２４０は前記加盟店側の端末３００（または使用者無線端末４００）で前記ＵＧＩＤを通じて一定時間の間唯一に識別される取引登録情報を登録するように要請する情報を提供することができ、以後前記使用者無線端末４００の運営アプリ４２０から前記ＵＧＩＤ（またはＵＧＩＤとマッチングする音波パターン）を含む認識情報を再び受信して前記加盟店側の端末３００を通じて逆方向決済を要請した加盟店を識別認証して前記ＵＧＩＤを通じて唯一に識別される取引登録情報を確認する過程を再び行うことができる。
【０１３８】
前記ＵＧＩＤを通じて固有識別された加盟店で運営する加盟店側の端末３００を通じて登録された一つ以上の取引登録情報のうち前記ＵＧＩＤを通じて一定時間の間唯一に識別されるいずれか一つの取引登録情報が確認されると、前記取引情報提供部２４５は前記確認された取引登録情報の金額情報を確認し、前記金額情報に基づいて前記使用者無線端末４００を通じて逆方向決済する取引金額を確認／算出する。好ましくは、前記取引情報提供部２４５は本発明の第１〜第４取引金額の実施例のうち少なくとも一つの実施例を通じて逆方向決済する取引金額を確認／算出することができる。
【０１３９】
前記逆方向決済する取引金額を確認／算出されると、前記取引情報提供部２４５は前記確認／算出した取引金額を含んで実施方法により前記取引登録情報に含まれた少なくとも一つの情報（例えば、商品情報、日時情報、加盟店登録情報、加盟店情報、端末情報のうち少なくとも一つの情報）をさらに含むかおよび／または前記情報保存部２０５を通じて登録された加盟店関連情報（例えば、加盟店登録情報、加盟店情報、端末情報のうち少なくとも一つの情報）をさらに含む取引情報を構成する。前記取引情報提供部２４５は前記使用者無線端末４００の運営アプリ４２０に前記構成された取引情報を伝送する。一方、前記取引情報提供部２４５は前記ＵＧＩＤと取引情報を連係して一定時間の間保存管理することができる。
【０１４０】
前記使用者無線端末４００の運営アプリ４２０は、前記取引金額を含む取引情報を受信し、前記取引情報をアプリ画面上の指定されたインタフェース画面を通じて出力した後、本発明の第１〜第３決済実施例のうちいずれか一つの決済実施例に対応する決済手続きを行うことができる。
【０１４１】
図２を参照すると、前記運営サーバー２００は、指定された有効時間内に前記使用者無線端末４００に設置されたアプリのうち前記運営アプリ４２０を通じて駆動された決済アプリ４５０から伝送されたＵＧＩＤを含む要請情報を指定された経路を経由して受信する要請情報受信部２５０と、前記要請情報に含まれたＵＧＩＤに対応する取引情報を確認して前記使用者無線端末４００の決済アプリ４５０に提供されるように処理する取引情報提供部２４５を具備する。
【０１４２】
本発明の第１決済実施例により使用者無線端末４００の決済アプリ４５０は、運営アプリ４２０から前記ＵＧＩＤの共有伝達を受け、前記ＵＧＩＤを含む要請情報を構成して前記運営サーバー２００に伝送するか、または指定された認証サーバー１００に伝送することができる。前記要請情報受信部２５０は使用者無線端末４００の決済アプリ４５０から前記要請情報を受信するか、または前記使用者無線端末４００の決済アプリ４５０と通信する認証サーバー１００から前記要請情報を中継受信することができる。
【０１４３】
前記取引情報提供部２４５は、前記要請情報に含まれたＵＧＩＤを通じて一定時間の間唯一に識別される取引登録情報に対応する取引情報（または前記ＵＧＩＤと一定時間関連した取引情報）を確認する。もし、前記認証サーバー１００から前記要請情報を受信した場合、前記取引情報提供部２４５は前記認証サーバー１００に前記取引情報を提供し、前記認証サーバー１００は前記取引情報を受信して前記使用者無線端末４００の決済アプリ４５０に提供する。一方、前記使用者無線端末４００の決済アプリ４５０から前記要請情報を受信した場合、前記取引情報提供部２４５は前記使用者無線端末４００の決済アプリ４５０に前記取引情報を提供することができる。以後、前記使用者無線端末４００の決済アプリ４５０は、指定された決済インタフェース画面を通じて前記取引情報を出力し、決済システムの決済サーバー１０５と連動して前記取引情報に対する決済を処理することができる。
【０１４４】
一方、本発明の第２決済実施例によると、前記使用者無線端末４００の決済アプリ４５０は、前記運営アプリ４２０から前記取引情報の共有伝達を受けることができる。この場合、使用者無線端末４００の決済アプリ４５０は、指定された決済インタフェース画面を通じて前記取引情報を出力し、決済システムの決済サーバー１０５と連動して前記取引情報に対する決済を処理することができる。
【０１４５】
一方、本発明の第３決済実施例によると、前記使用者無線端末４００の運営アプリ４２０は、指定された決済インタフェース画面を通じて前記取引情報を出力し、決済システムの決済サーバー１０５と連動して前記取引情報に対する決済を処理することができる。
【０１４６】
図２を参照すると、前記運営サーバー２００は、使用者無線端末４００の決済アプリ４５０や運営アプリ４２０と関連した決済サーバー１０５から前記取引情報に対する決済結果情報を確認し、前記取引情報に対応する加盟店側の端末３００に前記取引情報に対する決済結果情報を提供する決済結果処理部２５５を具備する。
【０１４７】
本発明の第１または第２決済実施例により前記使用者無線端末４００の決済アプリ４５０を通じて前記取引情報に対する決済が処理された場合、前記決済結果処理部２５５は前記使用者無線端末４００の決済アプリ４５０と関連した決済サーバー１０５から前記取引情報に対する決済結果情報を確認する。
【０１４８】
一方、本発明の第３決済実施例により前記使用者無線端末４００の運営アプリ４２０を通じて前記取引情報に対する決済が処理された場合、前記決済結果処理部２５５は前記使用者無線端末４００の運営アプリ４２０と関連した決済サーバー１０５から前記取引情報に対する決済結果情報を確認する。
【０１４９】
前記取引情報に対する決済結果情報が確認されると、前記決済結果処理部２５５は前記取引情報に対応する加盟店側の端末３００を確認し、前記確認された加盟店側の端末３００で前記取引情報に対する決済結果情報を提供する。一方、実施方法により前記決済結果処理部２５５は前記使用者無線端末４００の決済アプリ４５０や運営アプリ４２０から前記決済結果情報を受信可能であり、これによって本発明は限定されない。
【０１５０】
図３ａと図３ｂは本発明の実施方法に係る音波送出機能を具備した加盟店側の端末３００の機能の構成を図示した図面である。
【０１５１】
より詳細には、本図３ａは音波装置３６０を通じて指定された周波数帯域の音波信号を送出する加盟店側の端末３００の機能の構成の実施例を図示したもので、図３ｂは内部の音波出力部３０８ｂを通じて指定された周波数帯域の音波信号を送出する加盟店側の端末３００の機能の構成の実施例を図示したものである。一方、本発明が属した技術分野で通常の知識を有する者であれば、本図３ａまたは図３ｂを参照するか変形して前記加盟店側の端末３００の機能の構成に対する多様な実施方法（例えば、一部構成部が省略されるか、または細分化されるか、または合わせられた実施方法）を類推することができるはずである。本発明は前記類推されるすべての実施方法を含み、本図３に図示された実施方法にのみその技術的特徴が限定されない。便宜上図３ｂの加盟店側の端末３００は、加盟店の無線端末３００の機能の構成を中心に図示して説明する。
【０１５２】
図３ａと図３ｂを参照すると、加盟店側の端末３００は、端末制御部３０２ａと、端末メモリ３１４ａと、出力処理部３０４ａと、入力処理部３０６ａと、媒体連動部３０８ａと、インタフェース部３１０ａと、通信処理部３１２ａを具備し、電源供給のための電源部（図示されず）を具備する。
【０１５３】
前記端末制御部３０２ａは、前記加盟店側の端末３００の動作を制御する構成の総称であって、少なくとも一つのプロセッサと実行メモリを含んで構成され、前記端末３００に備えられた各構成部とバス（ＢＵＳ）を通じて連結される。本発明によると、前記端末制御部３０２ａは、前記プロセッサを通じて前記端末３００に備えられる少なくとも一つのプログラムコードを前記実行メモリにローディングして演算し、その結果を前記バスを通じて少なくとも一つの構成部に伝達して前記端末３００の動作を制御する。以下、便宜上プログラムコードの形態で具現される加盟店用のアプリ３２０の機能の構成を本端末制御部３０２ａ内に図示して説明する。
【０１５４】
本発明の実施方法により前記加盟店側の端末３００が指定された決済（例えば、順方向決済）のために加盟店に備えられた決済端末３００である場合、前記決済端末３００は前記決済を処理するアプリケーションに対応する加盟店決済部３１５を具備し、これによって本発明は限定されない。
【０１５５】
前記端末メモリ３１４ａは、前記端末３００に備えられた不揮発性メモリの総称であって、前記端末制御部３０２ａを通じて実行される少なくとも一つのプログラムコードと、前記プログラムコードが利用する少なくとも一つのデータセットを保存して維持する。前記端末メモリ３１４ａは、基本的に前記端末３００の運営体制に対応するシステムプログラムコードとシステムデータセット、前記端末３００の無線通信連結を処理する通信プログラムコードと通信データセットおよび少なくとも一つのアプリケーションコードと応用データセットを保存し、本発明のプログラムに対応するプログラムコードとデータセットも前記端末メモリ３１４ａに保存される。
【０１５６】
前記出力処理部３０４ａは、画面出力機（例えば、ＬＣＤ（Ｌｉｑｕｉｄ  Ｃｒｙｓｔａｌ  Ｄｉｓｐｌａｙ）等）とこれを駆動する駆動モジュールで構成され、前記端末制御部３０２ａと連動して前記端末制御部３０２ａの各種演算結果のうち画面出力に対応する演算結果を前記画面出力機を通じて出力する。
【０１５７】
前記入力処理部３０６ａは、一つ以上の使用者入力器（例えば、ボタン、キーパッド、タッチパッド、出力処理部３０４ａと連動するタッチスクリーンなど）とこれを駆動する駆動モジュールで構成され、前記端末制御部３０２ａと連動して前記端末制御部３０２ａの各種演算を命令する命令を入力するか、または前記端末制御部３０２ａの演算に必要なデータを入力する。
【０１５８】
前記媒体連動部３０８ａは、前記加盟店決済部３１５を通じての決済（例えば、順方向決済）のために指定された媒体と連動する構成部の総称である。例えば、前記媒体連動部３０８ａは、加盟店に訪問した顧客のカードから前記加盟店決済部３１５を通じて処理するカード決済のためのカード情報をリーディングするカードリーダー部を含むことができる。または前記媒体連動部３０８ａは、顧客が所持したＮＦＣ媒体から前記加盟店決済部３１５を通じて処理する決済のための媒体情報をリーディングするＮＦＣ機能部を含むことができる。すなわち、前記媒体連動部３０８ａは、前記加盟店決済部３１５を通じての決済処理に必要な媒体と連動するために備えられる構成部であれば、いかなる構成部でもよく、特定の媒体や連動方式によって限定されない。
【０１５９】
前記インタフェース部３１０ａは、加盟店に備えられた音波装置３６０と指定された少なくとも一つの近距離通信（例えば、ブルートゥース、Ｗｉ−Ｆｉ、ＮＦＣ、ＲＦ通信のうち少なくとも一つの近距離無線通信、またはＵＳＢ、ＲＳ２３２等の有線通信など）をインターフェースする構成部の総称である。好ましくは、前記加盟店側の端末３００は、前記インタフェース部３１０ａを通じて加盟店に備えられた音波装置３６０と連動することができる。
【０１６０】
前記通信処理部３１２ａは、前記加盟店側の端末３００を指定された通信網に連結する構成部の総称であって、前記加盟店側の端末３００を指定された有線通信網に連結するか、および／または前記加盟店側の端末３００を指定された無線通信網に連結することができる。
【０１６１】
前記加盟店側の端末３００は、本発明に係る逆方向決済のために指定された加盟店用のアプリ３２０を設置して実行し、前記加盟店用のアプリ３２０は前記加盟店側の端末３００に設置して実行される別途のアプリの形態で具現されるか、または前記加盟店決済部３１５と連動して動作する連動アプリの形態で具現されるか、または加盟店決済部３１５に対応するアプリケーションを通じて具現され得、前記加盟店用のアプリ３２０を実現する方式によって本発明が限定されない。
【０１６２】
図３ａと図３ｂを参照すると、前記加盟店側の端末３００の加盟店用のアプリ３２０は、指定された運営サーバー２００に少なくとも一つの加盟店関連情報を登録したり、音波送出機能を具備した加盟店側の端末３００を通じて逆方向決済を要請した加盟店を別途に固有識別するために、重複しないように固有に決定された固有コードを登録する情報登録部３２５を具備する。
【０１６３】
前記情報登録部３２５は前記加盟店に対する加盟店登録情報、決済のために前記加盟店に付与された加盟店情報、前記加盟店側の端末３００に備えられた端末情報のうち少なくとも一つの加盟店関連情報の入力を受けるか確認し、指定された運営サーバー２００に前記入力／確認された加盟店関連情報を伝送することによって、前記運営サーバー２００に前記加盟店関連情報を登録要請することができ、前記運営サーバー２００は、前記加盟店関連情報を指定されたデータベースに保存することができる。
【０１６４】
一方、前記情報登録部３２５は指定された運営サーバー２００に音波送出機能を具備した加盟店側の端末３００を通じて逆方向決済を要請した加盟店を別途に固有識別するために、重複しないように固有に決定された固有コードの登録を要請することができ、この場合、前記運営サーバー２００は、本発明の第１〜第６固有コード確認の実施例のうち少なくとも一つの実施例により本発明の第１〜第４固有コードの実施例のうち少なくとも一つの実施例に対応する固有コードを確認し、前記確認された固有コードを前記加盟店関連情報と関連するように処理して指定されたデータベースに保存することができる。
【０１６５】
一方、前記加盟店側の端末３００で指定されたコード体系のコード値を含む使い捨てコードを生成する場合、前記情報登録部３２５は指定された運営サーバー２００と前記使い捨てコードを生成／認証するためのシード情報（例えば、固定シード値および／またはシード値を決定する規則など）を交換／共有する手続きを行うことができ、前記交換／共有されたシード情報を前記加盟店側の端末３００の指定された保存領域（または音波装置３６０の指定された保存領域）に保存することができる。
【０１６６】
図３ａと図３ｂを参照すると、前記加盟店側の端末３００の加盟店用のアプリ３２０は、非同期式逆方向決済のための金額情報を入力／確認して前記金額情報を含む取引登録情報を指定された運営サーバー２００に伝送して登録する取引登録部３３０を具備する。
【０１６７】
前記取引登録部３３０は逆方向決済のための金額情報の入力を受けるか指定された手続きにより確認し、前記金額情報を含む取引登録情報を構成して運営サーバー２００に伝送して登録要請する。前記運営サーバー２００は、前記金額情報を含む取引登録情報を受信する。
【０１６８】
図３ａと図３ｂを参照すると、前記加盟店側の端末３００の加盟店用のアプリ３２０は、前記運営サーバー２００で前記ＵＧＩＤを生成する場合、前記運営サーバー２００から前記ＵＧＩＤを受信する手続き、前記加盟店側の端末３００で前記ＵＧＩＤを生成する場合、前記ＵＧＩＤを生成して前記運営サーバー２００に提供する手続き、前記音波装置３６０で前記ＵＧＩＤを生成する場合、前記音波装置３６０を通じて生成されたＵＧＩＤを確認して前記運営サーバー２００に提供する手続きのうち少なくとも一つの手続きを行うＵＧＩＤ処理部３３５を具備し、前記ＵＧＩＤを通じて識別される加盟店と前記ＵＧＩＤを通じて一定時間の間識別される取引登録情報の有効性を認証するために指定されたコード体系のコード値を含む使い捨てコードを生成するコード生成部３４０をさらに具備する。
【０１６９】
前記取引登録情報を受信した運営サーバー２００で前記ＵＧＩＤを生成する場合、前記ＵＧＩＤ処理部３３５は前記運営サーバーから前記ＵＧＩＤを受信することができる。好ましくは、前記ＵＧＩＤは前記取引登録情報に対する登録結果情報に含まれて受信され得る。
【０１７０】
一方、前記加盟店側の端末３００で前記ＵＧＩＤを生成する場合、前記ＵＧＩＤ処理部３３５は前記加盟店側の端末３００を通じて逆方向決済を要請した加盟店を別途に固有識別するとともに、前記取引登録情報に対応する特定の取り引きを唯一に識別するＵＧＩＤを生成し、前記運営サーバー２００に前記生成されたＵＧＩＤを伝送することができる。好ましくは、前記ＵＧＩＤは前記取引登録情報に含まれて前記運営サーバー２００に伝送され得る。
【０１７１】
一方、前記音波装置３６０で前記ＵＧＩＤを生成する場合、前記ＵＧＩＤ処理部３３５は前記音波装置３６０を通じて生成されたＵＧＩＤを確認し、前記運営サーバー２００に前記確認されたＵＧＩＤを伝送することができる。好ましくは、前記ＵＧＩＤは前記取引登録情報に含まれて前記運営サーバー２００に伝送され得る。一方、前記音波装置３６０で前記ＵＧＩＤを生成する場合、前記音波装置３６０の装置制御部３６２は前記ＵＧＩＤを生成して前記加盟店側の端末３００に提供するＵＧＩＤ生成部（図示されず）を具備することができる。
【０１７２】
前記コード生成部３４０は前記ＵＧＩＤを通じて固有識別される加盟店と前記登録された取引登録情報の有効性を認証するために指定されたコード体系のコード値を含む使い捨てコードを生成することができる。好ましくは、前記コード生成部３４０は本発明の第１〜第３使い捨てコード生成の実施例のうち少なくとも一つの実施例を通じて前記使い捨てコードを生成することができる。
【０１７３】
図３ａを参照すると、前記加盟店側の端末３００の加盟店用のアプリ３２０は、前記インタフェース部３１０ａを通じて関連した音波装置３６０を通じて前記ＵＧＩＤを符号化した音波信号（またはＵＧＩＤとマッチングする音波パターンを含む音波信号）が近距離に送出されるように処理する信号送出処理部３４５を具備する。
【０１７４】
前記信号送出処理部３４５は、指定された有効時間内に前記インタフェース部３１０ａを通じて関連した音波装置３６０に前記ＵＧＩＤを提供することによって、前記音波装置３６０を通じて前記ＵＧＩＤを符号化した音波信号（またはＵＧＩＤとマッチングする音波パターンを含む音波信号）が近距離に送出されるように処理することができる。一方、前記コード生成部３４０を通じて前記使い捨てコードが生成された場合、前記信号送出処理部３４５は、前記ＵＧＩＤと前記生成された使い捨てコードを前記インタフェース部３１０ａを通じて前記音波装置３６０に提供することによって、前記音波装置３６０を通じて前記ＵＧＩＤと使い捨てコードを符号化した音波信号が近距離に送出されるように処理することができる。一方、実施方法により前記使い捨てコードは前記音波装置３６０を通じて生成されて前記音波信号に含まれ得、この場合、前記コード生成部３４０は前記音波装置３６０の装置制御部３６２に備えられ得る。
【０１７５】
図３ａを参照すると、加盟店の音波装置３６０は、装置制御部３６２と、装置メモリ３６６と、端末連動部３６４と、音波信号部３６８を具備する。
【０１７６】
前記装置制御部３６２は前記音波装置３６０の動作を制御する構成の総称であって、少なくとも一つのプロセッサと実行メモリを含んで構成され、前記音波装置３６０に備えられた各構成部とバス（ＢＵＳ）を通じて連結される。本発明によると、前記装置制御部３６２は、前記プロセッサを通じて前記音波装置３６０に備えられる少なくとも一つのプログラムコードを前記実行メモリにローディングして演算し、その結果を前記バスを通じて少なくとも一つの構成部に伝達して前記音波装置３６０の動作を制御する。以下、便宜上本音波装置３６０内に制御回路、集積回路、プログラムコードの形態で具現される本発明の機能の構成を本装置制御部３６２内に図示して説明する。
【０１７７】
前記装置メモリ３６６は前記音波装置３６０に備えられた不揮発性メモリの総称であって、前記装置制御部３６２を通じて実行される少なくとも一つのプログラムコードと、前記プログラムコードが利用する少なくとも一つのデータセットを保存して維持する。前記装置メモリ３６６は基本的に前記音波装置３６０の運営体制に対応するシステムプログラムコードとシステムデータセット、前記音波装置３６０の無線通信連結を処理する通信プログラムコードと通信データセットおよび少なくとも一つのアプリケーションコードと応用データセットを保存し、本発明のプログラムに対応するプログラムコードとデータセットも前記装置メモリ３６６に保存される。
【０１７８】
前記端末連動部３６４は加盟店に備えられた加盟店側の端末３００と指定された少なくとも一つの近距離通信（例えば、ブルートゥース、Ｗｉ−Ｆｉ、ＮＦＣ、ＲＦ通信のうち少なくとも一つの近距離無線通信、またはＵＳＢ、ＲＳ２３２等の有線通信など）を連動する構成部の総称である。好ましくは、前記音波装置３６０は前記端末連動部３６４を通じて加盟店に備えられた加盟店側の端末３００と連動することができる。
【０１７９】
前記音波信号部３６８は、使用者無線端末４００に備えられた音波入力部３１０ｂを通じて入力され、デジタル化可能な指定された周波数帯域の音波信号を送出する構成部の総称であって、前記音波信号を送出する機能の他に指定された音波信号を受信する機能をさらに具備することができる。前記音波信号部３６８は、前記装置制御部３６２を通じて生成された情報セットを指定された周波数帯域の音波信号に変調して指定された信号強度（例えば、指定された距離以内の無線端末４００を通じて受信可能な信号強度等）で送出することができる。または前記音波信号部３６８は、指定された周波数帯域の音波信号を受信して復調して獲得したデータを前記装置制御部３６２に伝達することができ、前記装置制御部３６２は前記データに対応する情報処理手続きを行うことができる。
【０１８０】
本発明の実施方法によると、前記音波信号部３６８は、指定された音波出力機（例えば、スピーカーなど）を通じて指定された周波数領域（例えば、可聴周波数領域または非可聴周波数領域など）のアナログ化された音波信号を送出し、前記音波信号にはＵＧＩＤなどの指定されたデジタル情報が符号化されるかまたはＵＧＩＤとマッチングする音波パターンが含まれ得る。好ましくは、前記音波信号部３６８は、本発明の音波信号送出実施例に対応する音波信号を送出することができる。
【０１８１】
図３ａを参照すると、前記音波装置３６０は、指定された周波数帯域の音波信号を通じて送出するＵＧＩＤを確認する情報確認部３７０と、前記確認されたＵＧＩＤを含む指定された構造の送出情報を構成する情報構成部３７５と、前記音波信号部３６８を通じて前記構成された送出情報を符号化した音波信号（または前記送出情報とマッチングする音波パターンを含む音波信号）という信号送出部３８０を具備する。
【０１８２】
前記情報確認部３７０は前記端末連動部３６４を通じて加盟店側の端末３００と連動して前記音波信号を通じて送出するＵＧＩＤを確認する。一方、前記情報確認部３７０は前記端末連動部３６４を通じて加盟店側の端末３００と連動して前記音波信号を通じて送出する使い捨てコードを確認したり、実施方法により前記音波信号を通じて送出する使い捨てコードを生成することができる。
【０１８３】
前記情報構成部３７５は使用者無線端末４００の運営アプリ４２０で判読可能な指定された情報構造で前記確認されたＵＧＩＤを含む送出情報を構成する。一方、前記情報確認部３７０を通じて使い捨てコードが確認／生成された場合、前記情報構成部３７５は使用者無線端末４００の運営アプリ４２０で判読可能な指定された情報構造で前記確認されたＵＧＩＤと使い捨てコードを含む送出情報を構成することができる。以下、前記送出情報にＵＧＩＤと使い捨てコードが含まれる実施例を中心に本発明の特徴を説明する。
【０１８４】
前記情報構成部３７５を通じて前記ＵＧＩＤと使い捨てコードを含む送出情報が構成されると、前記信号送出部３８０は前記音波信号部３６８を通じて前記送出情報を符号化した指定された周波数帯域の音波信号（または前記送出情報とマッチングする音波パターンを含む音波信号）が指定された信号強度（例えば、指定された距離以内の無線端末４００を通じて受信可能な信号強度等）で送出されるように処理し、前記音波信号部３６８は、所定の音波出力機を通じて前記信号送出部３８０が提供した送出情報を符号化した指定された周波数帯域の音波信号を送出する。
【０１８５】
図３ｂを参照すると、前記加盟店側の端末３００は、制御部３０２ｂとメモリ部３１８ｂと画面出力部３０４ｂと使用者入力部３０６ｂと音波出力部３０８ｂと音波入力部３１０ｂと近距離網通信部３１２ｂと無線網通信部３１４ｂとＵＳＩＭリーダー部３１６ＢおよびＵＳＩＭを具備し、電源供給のためのバッテリーを具備する。
【０１８６】
前記制御部３０２ｂは前記加盟店側の端末３００の動作を制御する構成の総称であって、少なくとも一つのプロセッサと実行メモリを含んで構成され、前記加盟店側の端末３００に備えられた各構成部とバス（ＢＵＳ）を通じて連結される。本発明によると、前記制御部３０２ｂは前記プロセッサを通じて前記加盟店側の端末３００に備えられる少なくとも一つのプログラムコードを前記実行メモリにローディングして演算し、その結果を前記バスを通じて少なくとも一つの構成部に伝達して前記加盟店側の端末３００の動作を制御する。以下、便宜上プログラムコードの形態で具現される本発明の加盟店用のアプリ３２０構成を本制御部３０２ｂ内に図示して説明する。
【０１８７】
前記メモリ部３１８ｂは前記加盟店側の端末３００の保存資源に対応する不揮発性メモリの総称であって、前記制御部３０２ｂを通じて実行される少なくとも一つのプログラムコードと、前記プログラムコードが利用する少なくとも一つのデータセットを保存して維持する。前記メモリ部３１８ｂは基本的に前記加盟店側の端末３００の運営体制に対応するシステムプログラムコードとシステムデータセット、前記加盟店側の端末３００の無線通信連結を処理する通信プログラムコードと通信データセットおよび少なくとも一つのアプリケーションコードと応用データセットを保存し、本発明のプログラムに対応するプログラムコードとデータセットも前記メモリ部３１８ｂに保存される。
【０１８８】
前記画面出力部３０４ｂは画面出力機（例えば、ＬＣＤ（Ｌｉｑｕｉｄ  Ｃｒｙｓｔａｌ  Ｄｉｓｐｌａｙ）等）とこれを駆動する駆動モジュールで構成され、前記制御部３０２ｂと連動して前記制御部３０２ｂの各種演算結果のうち画面出力に対応する演算結果を前記画面出力装置で出力する。前記使用者入力部３０６ｂは一つ以上の使用者入力器（例えば、ボタン、キーパッド、タッチパッド、画面出力部３０４ｂと連動するタッチスクリーンなど）とこれを駆動する駆動モジュールで構成され、前記制御部３０２ｂと連動して前記制御部３０２ｂの各種演算を命令する命令を入力するか、または前記制御部３０２ｂの演算に必要なデータを入力する。
【０１８９】
前記音波出力部３０８ｂは音波出力機（例えば、スピーカーなど）とこれを駆動する駆動モジュールで構成され、前記制御部３０２ｂの各種演算結果のうち音波出力に対応するデータをデコーディング（Ｄｅｃｏｄｉｎｇ）して前記音波出力機を通じてアナログ化出力する。前記音波入力部３１０ｂは音波入力器（例えば、マイクロホンなど）とこれを駆動する駆動モジュールで構成され、前記音波入力器を通じて入力されるアナログ形態の音波信号をデジタル化および／またはエンコーディングして前記制御部３０２ｂに伝達する。
【０１９０】
前記無線網通信部３１４ｂと近距離網通信部３１２ｂは前記加盟店側の端末３００を指定された通信網に接続させる通信資源の総称である。好ましくは、前記無線網通信部３１４ｂは前記加盟店側の端末３００を基地局を経由する無線通信網に接続させる通信資源であり、好ましくは前記加盟店側の端末３００を移動通信網に接続させることができる。一方、前記近距離網通信部３１２ｂは一程距離以内  （例えば、３０ｍ）で無線周波数信号を通信媒体として利用して通信セッションを連結し、これに基づいて前記加盟店側の端末３００を通信網に接続させる通信資源の総称であって、好ましくはＷｉ−Ｆｉ通信、ブルートゥース通信、空中無線通信、ＵＷＢのうち少なくとも一つを通じて前記加盟店側の端末３００を通信網に接続させることができる。
【０１９１】
本発明の実施方法によると、前記加盟店側の端末３００は、指定された決済（例えば、順方向決済）を処理するアプリケーションに対応する加盟店決済部３１５を具備することができ、もし、前記加盟店側の端末３００が加盟店主の無線端末３００である場合、前記加盟店決済部３１５は省略可能である。
【０１９２】
図３ｂを参照すると、前記加盟店側の端末３００の加盟店用のアプリ３２０は、指定された音波信号を通じて送出する指定された構造の送出情報を構成する情報構成部３７５と、前記音波出力部３０８ｂを通じて前記送出情報を符号化した指定された音波信号が近距離送出されるように処理するかまたは前記送出情報とマッチングする音波パターンを含む音波信号が送出されるように処理する信号送出処理部３４５を具備し、前記情報構成部３７５は使用者無線端末４００の運営アプリ４２０で判読可能な指定された情報構造で前記ＵＧＩＤを含む送出情報を構成する。一方、前記使い捨てコードが生成された場合、前記情報構成部３７５は使用者無線端末４００の運営アプリ４２０で判読可能な指定された情報構造で前記ＵＧＩＤと使い捨てコードを含む送出情報を構成することができる。以下、前記送出情報にＵＧＩＤと使い捨てコードが含まれる実施例を中心に本発明の特徴を説明する。
【０１９３】
前記情報構成部３７５を通じて前記ＵＧＩＤと使い捨てコードを含む送出情報が構成されると、前記信号送出処理部３４５は、前記音波出力部３０８ｂを通じて前記送出情報を符号化した指定された周波数帯域の音波信号（または前記送出情報とマッチングする音波パターンを含む音波信号）が指定された信号強度（例えば、指定された距離以内の使用者無線端末４００を通じて受信可能な信号強度等）で送出されるように処理し、前記音波出力部３０８ｂは所定の音波出力機を通じて前記信号送出処理部３４５が提供した送出情報を含む指定された周波数帯域の音波信号を指定された信号強度で近距離送出する。
【０１９４】
一方、本発明の一実施方法によると、前記使用者無線端末４００で行われた運営アプリ４２０は、前記音波信号を要請する要請信号を送出することができ、前記音波入力部３１０ｂは前記要請信号の入力を受けてデジタル化したデータを前記制御部３０２ｂに提供し、前記制御部３０２ｂは前記要請信号により前記ＵＧＩＤと使い捨てコードを確認するように制御するかおよび／または前記情報構成部３７５を通じて前記ＵＧＩＤと使い捨てコードを含む送出情報を構成するように制御するかおよび／または前記信号送出処理部３４５を通じて前記送出情報を含む音波信号を送出する手続きを行うように制御することによって、前記要請信号に対応する音波信号が送出されるようにすることができ、これによって本発明は限定されない。
【０１９５】
図３ａと図３ｂを参照すると、前記加盟店側の端末３００の加盟店用のアプリ３２０は、前記音波信号を受信乃至認識した使用者無線端末４００を介入させて処理された逆方向決済の決済結果情報を受信して出力する結果処理部３５０を具備する。
【０１９６】
前記音波信号を受信乃至認識した使用者無線端末４００の運営アプリ４２０で前記音波信号に含まれたＵＧＩＤを認識し、前記ＵＧＩＤを通じて識別される取引金額を確認して指定された決済システムを通じて決済処理した場合、前記結果処理部３５０は前記使用者無線端末４００の決済手続きに利用された決済サーバー１０５や前記決済サーバー１０５と関連した運営サーバー２００を経由して使用者無線端末４００と決済システムを通じて決済処理なった決済結果を含む決済結果情報を受信して出力することができる。
【０１９７】
図４は本発明の実施方法に係る使用者無線端末４００のアプリ関連機能の構成を図示した図面である。
【０１９８】
より詳細には、本図４は使用者無線端末４００に設置して実行される運営アプリ４２０と決済アプリ４５０の機能の構成と無線端末４００の構成を図示したものであって、本発明が属した技術分野で通常の知識を有する者であれば、本図４を参照するか変形して前記無線端末４００機能に対する多様な実施方法を類推することができるはずである。本発明は前記類推されるすべての実施方法を含み、本図４に図示された実施方法にのみその技術的特徴が限定されない。好ましくは、本図４の無線端末４００は無線通信が可能な各種スマートフォン、各種タブレットＰＣ、各種ＰＤＡおよび各種携帯電話のうち少なくとも一つを含むことができる。
【０１９９】
図４を参照すると、前記無線端末４００は、制御部４０２とメモリ部４１８と画面出力部４０４と使用者入力部４０６と音波出力部４０８と音波入力部４１０と近距離網通信部４１２と無線網通信部４１４とＵＳＩＭリーダー部４１６およびＵＳＩＭを具備し、電源供給のためのバッテリーを具備する。
【０２００】
前記制御部４０２は前記無線端末４００の動作を制御する構成の総称であって、少なくとも一つのプロセッサと実行メモリを含んで構成され、前記無線端末４００に備えられた各構成部とバス（ＢＵＳ）を通じて連結される。本発明によると、前記制御部４０２は前記プロセッサを通じて前記無線端末４００に備えられる少なくとも一つのプログラムコードを前記実行メモリにローディングして演算し、その結果を前記バスを通じて少なくとも一つの構成部に伝達して前記無線端末４００の動作を制御する。以下、便宜上プログラムコードの形態で具現される運営アプリ４２０と決済アプリ４５０の機能的構成を本制御部４０２内に図示して説明する。
【０２０１】
前記メモリ部４１８は前記無線端末４００の保存資源に対応する不揮発性メモリの総称であって、前記制御部４０２を通じて実行される少なくとも一つのプログラムコードと、前記プログラムコードが利用する少なくとも一つのデータセットを保存して維持する。前記メモリ部４１８は基本的に前記無線端末４００の運営体制に対応するシステムプログラムコードとシステムデータセット、前記無線端末４００の無線通信連結を処理する通信プログラムコードと通信データセットおよび少なくとも一つのアプリケーションコードと応用データセットを保存し、本発明のプログラムに対応するプログラムコードとデータセットも前記メモリ部４１８に保存される。
【０２０２】
前記画面出力部４０４は画面出力機（例えば、ＬＣＤ（Ｌｉｑｕｉｄ  Ｃｒｙｓｔａｌ  Ｄｉｓｐｌａｙ）等）とこれを駆動する駆動モジュールで構成され、前記制御部４０２と連動して前記制御部４０２の各種演算結果のうち画面出力に対応する演算結果を前記画面出力装置で出力する。前記使用者入力部４０６は一つ以上の使用者入力器（例えば、ボタン、キーパッド、タッチパッド、画面出力部４０４と連動するタッチスクリーンなど）とこれを駆動する駆動モジュールで構成され、前記制御部４０２と連動して前記制御部４０２の各種演算を命令する命令を入力するか、または前記制御部４０２の演算に必要なデータを入力する。
【０２０３】
前記音波出力部４０８は音波出力機（例えば、スピーカーなど）とこれを駆動する駆動モジュールで構成され、前記制御部４０２の各種演算結果のうち音波出力に対応するデータをデコーディング（Ｄｅｃｏｄｉｎｇ）して前記音波出力機を通じてアナログ化出力する。前記音波入力部４１０は音波入力器（例えば、マイクロホンなど）とこれを駆動する駆動モジュールで構成され、前記音波入力器を通じて入力されるアナログ形態の音波信号をデジタル化および／またはエンコーディングして前記制御部４０２に伝達する。好ましくは、本発明により前記音波装置３６０を通じて送出された音波信号も前記音波入力部４１０を通じて入力されてデジタル化されて前記制御部４０２に伝えられ、指定されたアプリを通じて判読されて利用される。
【０２０４】
前記無線網通信部４１４と近距離網通信部４１２は前記使用者無線端末４００を指定された通信網に接続させる通信資源の総称である。好ましくは、前記無線網通信部４１４は前記使用者無線端末４００を基地局を経由する無線通信網に接続させる通信資源であり、好ましくは前記使用者無線端末４００を移動通信網に接続させることができる。一方、前記近距離網通信部４１２は一程距離以内  （例えば、３０ｍ）で無線周波数信号を通信媒体として利用して通信セッションを連結してこれに基づいて前記使用者無線端末４００を通信網に接続させる通信資源の総称であって、好ましくはＷｉ−Ｆｉ通信、ブルートゥース通信、空中無線通信、ＵＷＢのうち少なくとも一つを通じて前記使用者無線端末４００を通信網に接続させることができる。
【０２０５】
前記使用者無線端末４００の制御部４０２は前記通信資源を通じて接続可能なデータ網を通じて指定されたアプリ提供サーバー（例えば、アップル社のアプリストアなど）から指定された運営アプリ４２０と決済アプリ４５０をダウンロードして設置することができる。
【０２０６】
図４を参照すると、前記無線端末４００の運営アプリ４２０は、前記音波入力部４１０を通じて入力される音波信号を確認する信号確認部４２５と、前記音波装置３６０から入力された音波信号に含まれたＵＧＩＤを認識する信号認識部４３０と、前記音波信号を通じて認識されたＵＧＩＤ（またはＵＧＩＤとマッチングする音波パターン）を含む認識情報を構成して指定された運営サーバー２００に伝送する認識情報伝送部４３５と、前記運営サーバー２００でＵＧＩＤを判読して使用者が訪問した加盟店を音波送出機能を具備した加盟店側の端末３００を通じて逆方向決済を要請した加盟店で識別認証するとともに前記識別認証された加盟店側の端末３００を通じて登録された取引登録情報のうち前記ＵＧＩＤを通じて唯一に識別されるいずれか一つの取引登録情報を確認した場合、前記運営サーバー２００から前記取引登録情報の金額情報に対応する取引金額を含む取引情報を受信する取引情報受信部４４０と、前記取引情報を利用する取引手続きが実行されるように処理する取引処理部４４５を具備する。、
【０２０７】
前記信号確認部４２５は前記音波入力部４１０を通じて指定された周波数帯域の音波信号が入力されるのか確認する。もし、前記音波装置３６０から送出された音波信号が受信された場合、前記信号認識部４３０は前記信号確認部４２５を通じて確認された音波信号に対応するデータをバッファリングして判読して前記音波信号に符号化されたＵＧＩＤを認識し、実施方法により前記音波信号に対応する音波パターン情報（または音波パターンＩＤなど）を認識することができる。一方、前記音波信号に使い捨てコードが含まれた場合、前記信号認識部４３０は前記音波信号に対応するデータを判読して前記音波信号に含まれたＵＧＩＤと使い捨てコードを認識することができる。以下、便宜上前記音波信号にＵＧＩＤと使い捨てコードが含まれた実施例を中心に本発明の技術的特徴を説明するが、これによって本発明は限定されない。
【０２０８】
前記信号認識部４３０を通じて前記音波信号に含まれたＵＧＩＤと使い捨てコードが認識されると、前記認識情報伝送部４３５は前記音波信号を通じて認識されたＵＧＩＤと使い捨てコードを含む認識情報を構成し、前記近距離網通信部４１２と無線網通信部４１４のうちいずれか一つの通信部を通じて接続した通信網を経由して前記運営サーバー２００に前記構成された認識情報を伝送する。
【０２０９】
前記運営サーバー２００は、前記使用者無線端末４００の運営アプリ４２０から前記ＵＧＩＤと使い捨てコードを含む認識情報を受信し、前記認識情報に含まれたＵＧＩＤを判読して前記ＵＧＩＤに隠匿された固有コードを読み出し、前記読み出した固有コードに対応するいずれか一つの加盟店を識別認証することができる。
【０２１０】
一方、前記運営サーバー２００に前記使い捨てコードを認証するためのシード情報が備えられた場合、前記運営サーバー２００は、前記識別認証された加盟店に対応するシード情報を通じて指定されたコード体系の検証コードを生成し、前記認識情報の使い捨てコードと前記検証コードを比較して前記使い捨てコードの有効性を認証することができる。
【０２１１】
前記読み出した固有コードに対応する加盟店が識別認証されると（または前記読み出した固有コードに対応する加盟店が識別認証されるとともに前記使い捨てコードの有効性が認証された場合）、前記運営サーバー２００は、前記識別認証された加盟店で運営する加盟店側の端末３００から登録された取引登録情報のうち前記ＵＧＩＤを通じて一定時間の間唯一に識別されるいずれか一つの取引登録情報を確認し、本発明の第１〜第４取引金額の実施例を通じて前記取引登録情報の金額情報に基づいて確認／算出した取引金額を含んで実施方法により前記取引登録情報に含まれた少なくとも一つの情報をさらに含むかおよび／または前記運営サーバー２００に登録された加盟店関連情報をさらに含む取引情報を構成して前記使用者無線端末４００の運営アプリ４２０に伝送することができる。前記取引情報受信部４４０は前記運営サーバー２００から前記取引登録情報の金額情報に対応する取引金額を含む取引情報を受信し、前記取引情報をアプリ画面上の指定されたインタフェース画面を通じて出力することができる。
【０２１２】
前記取引処理部４４５は前記インタフェース画面を通じて前記取引情報の決済を処理するように決定されるか確認し、前記取引情報の決済を処理するように決定された場合、前記取引情報を利用する取引手続きが実行されるように処理する。
【０２１３】
もし、本発明の第１または第２決済実施例のように、別途の決済アプリ４５０を通じて前記取引情報の決済を処理する場合、前記取引処理部４４５は前記決済アプリ４５０を駆動する手続きを行い、前記決済アプリ４５０に前記ＵＧＩＤを共有伝達したり前記取引情報を共有伝達することができる。この場合、前記使用者無線端末４００の決済アプリ４５０は、前記取引情報を確認し、指定された決済サーバー１０５と連動して前記取引情報の決済を処理する手続きを行うことができ、前記決済サーバー１０５（または決済サーバー１０５と関連した運営サーバー２００）から前記決済に対する決済結果情報を確認して出力することができる。
【０２１４】
一方、本発明の第３決済実施例のように、前記運営アプリ４２０で前記取引情報の決済を処理する場合、前記取引処理部４４５は指定された決済サーバー１０５と連動して前記取引情報の決済を処理する手続きを行うことができ、前記決済サーバー１０５（または決済サーバー１０５と関連した運営サーバー２００）から前記決済に対する決済結果情報を確認して出力することができる。
【０２１５】
図５は本発明の実施方法に係る情報登録過程を図示した図面である。
【０２１６】
より詳細には、本図５は加盟店に備えられた音波装置３６０を利用した逆方向決済のための情報登録過程の一実施例を図示したものであって、本発明が属した技術分野で通常の知識を有する者であれば、本図５を参照するか変形して前記情報登録過程に対する多様な実施方法（例えば、一部の段階が省略されるか、または順序が変更された実施方法）を類推することができるはずである。本発明は前記類推されるすべての実施方法を含み、本図５に図示された実施方法にのみその技術的特徴が限定されない。
【０２１７】
図５を参照すると、本発明の音波信号を利用した非同期式逆方向決済を提供する加盟店で運営する加盟店側の端末３００は、指定された運営サーバー２００に前記加盟店に対する加盟店登録情報、決済のために前記加盟店に付与された加盟店情報、前記加盟店側の端末３００に備えられた端末情報のうち少なくとも一つの加盟店関連情報を登録要請し５００、前記運営サーバー２００は、前記加盟店側の端末３００から前記加盟店関連情報を受信して指定されたデータベースに登録保存することができる５０５。実施方法により前記加盟店関連情報は前記運営サーバー２００と関連した別途の運営端末を通じて登録され得、これによって本発明は限定されない。
【０２１８】
一方、本発明の音波信号を利用した非同期式逆方向決済を提供する加盟店の加盟店側の端末３００は、前記運営サーバー２００で前記加盟店側の端末３００を通じて逆方向決済を要請した加盟店を別途に固有識別するために、重複しないように固有に決定された固有コードを登録要請し５１０、前記運営サーバー２００は、本発明の第１〜第６固有コード確認の実施例のうち少なくとも一つの実施例により本発明の第１〜第４固有コードの実施例のうち少なくとも一つの実施例に対応する固有コードを確認する５１５。もし、前記固有コードが確認されると、前記運営サーバー２００は、前記確認された固有コードを前記加盟店関連情報と関連するように処理して指定されたデータベースに保存することができる５２０。
【０２１９】
一方、本発明の音波信号を利用した非同期式逆方向決済を提供する加盟店の加盟店側の端末３００や音波装置３６０を通じて前記非同期式逆方向決済のために使い捨てコードを生成する場合、前記加盟店側の端末３００は、前記使い捨てコードの生成／認証のためのシード情報を登録するように要請し５２５、前記運営サーバー２００は、前記非同期式逆方向決済中に生成される使い捨てコードを認証するために必要なシード値を確認／決定するためのシード情報を確認する５３０。もし、前記シード情報が確認されると、前記運営サーバー２００は、前記固有コード（または加盟店関連情報）と前記シード情報を連係して指定されたデータベースに保存する５３５。
【０２２０】
図６は本発明の一実施方法により非同期式逆方向決済のための逆方向情報の流れの過程を図示した図面である。
【０２２１】
より詳細には、本図６は加盟店側の端末３００で逆方向決済のための金額情報を含む取引登録情報を運営サーバー２００に伝送すると、運営サーバー２００で逆方向決済を要請した加盟店を別途に固有識別するとともに、前記取引登録情報に対応する特定の取り引きを唯一に識別ハハはＵＧＩＤを生成して取引登録情報とマッピングして保存し、運営サーバー２００で加盟店側の端末３００に前記ＵＧＩＤを提供すると、加盟店側の端末３００で音波送出機能を通じて前記ＵＧＩＤを含む送出情報を符号化した音波信号を送出する過程の一実施例を図示したものであって、本発明が属した技術分野で通常の知識を有する者であれば、本図６を参照するか変形して前記逆方向情報の流れの過程に対する多様な実施方法（例えば、一部の段階が省略されるか、または順序が変更された実施方法）を類推することができるはずである。本発明は前記類推されるすべての実施方法を含み、本図６に図示された実施方法にのみその技術的特徴が限定されない。
【０２２２】
図６を参照すると、非同期式逆方向決済を要請する加盟店で運営する加盟店側の端末３００は、逆方向決済する金額情報の入力を受けるか指定された手続きにより前記金額情報を確認し（６００、前記金額情報を含む取引登録情報を構成して運営サーバー２００に伝送する６０５。一方、実施方法により前記取引登録情報は前記金額情報以外に商品情報、日時情報、加盟店関連情報、固有コードのうち少なくとも一つをさらに含むことができる。
【０２２３】
前記運営サーバー２００は、前記加盟店側の端末３００から前記取引登録情報を受信し６１０、前記加盟店側の端末３００を通じて逆方向決済を要請した加盟店を固有識別するとともに前記取引登録情報に対応する特定の取り引きを唯一に識別するＵＧＩＤを生成する６１５。もし、前記ＵＧＩＤが生成されると、前記運営サーバー２００は、前記取引登録情報とＵＧＩＤを連係して保存媒体に保存し６２０、前記加盟店側の端末３００に前記ＵＧＩＤを含む登録結果情報を伝送する６２５。
【０２２４】
前記加盟店側の端末３００は、前記運営サーバー２００から前記ＵＧＩＤを含む登録結果情報を受信する６３０。一方、実施方法により前記加盟店側の端末３００は、指定されたシード情報を通じて確認／決定されるシード値を指定されたコード生成アルゴリズムに代入して前記ＵＧＩＤを通じて識別される対象（例えば、逆方向決済を要請した加盟店と前記加盟店側の端末３００を通じて登録された取引登録情報）を認証するための指定されたコード体系の使い捨てコードを動的生成することができる６３５。一方、実施方法により前記使い捨てコードは省略されるかまたは前記音波装置３６０を通じて生成可能であり、これによって本発明は限定されない。
【０２２５】
もし、前記使い捨てコードが生成されると、前記加盟店側の端末３００は、前記ＵＧＩＤと使い捨てコードを指定された構造で含む送出情報を構成し６４０、音波送出機能を通じて前記送出情報を符号化した指定された周波数帯域の音波信号を送出するように処理し６４５、前記送出情報が符号化された音波信号は近距離の使用者無線端末４００に受信され得る。
【０２２６】
図７は本発明の他の一実施方法により非同期式逆方向決済のための逆方向情報の流れの過程を図示した図面である。
【０２２７】
より詳細には、本図７は加盟店側の端末３００で逆方向決済のための金額情報の入力を受けるか確認した場合、逆方向決済を要請する加盟店を別途に固有識別するとともに、前記取引登録情報に対応する特定の取り引きを唯一に識別ハハはＵＧＩＤを生成するか確認した後、前記金額情報を含む取引登録情報とＵＧＩＤを運営サーバー２００に伝送すると、運営サーバー２００で前記取引登録情報とＵＧＩＤをマッピングして保存し、運営サーバー２００で加盟店側の端末３００に前記ＵＧＩＤを符号化した音波信号の送出を要請すると加盟店側の端末３００で音波送出機能を通じて前記ＵＧＩＤを含む送出情報を符号化した音波信号を送出する過程の一実施例を図示したものであって、本発明が属した技術分野で通常の知識を有する者であれば、本図７を参照するか変形して前記逆方向情報の流れの過程に対する多様な実施方法（例えば、一部の段階が省略されるか、または順序が変更された実施方法）を類推することができるはずである。本発明は前記類推されるすべての実施方法を含み、本図７に図示された実施方法にのみその技術的特徴が限定されない。
【０２２８】
図７を参照すると、非同期式逆方向決済を要請する加盟店で運営する加盟店側の端末３００は、逆方向決済する金額情報の入力を受けるか指定された手続きにより前記金額情報を確認する７００。逆方向決済する金額情報の入力を受けるか確認された場合、前記加盟店側の端末３００は、逆方向決済を要請する加盟店を固有識別するとともに前記金額情報に対応する特定の取り引きを唯一に識別するＵＧＩＤを生成する７０５。もし、前記加盟店に備えられた音波装置３６０を通じて前記ＵＧＩＤが生成された場合、前記加盟店側の端末３００は、前記音波装置３６０を通じて生成されたＵＧＩＤを確認することができる７０５。もし、前記ＵＧＩＤが生成されるか確認されると、前記加盟店側の端末３００は、前記金額情報を含む取引登録情報と前記ＵＧＩＤを運営サーバー２００に伝送する７１０。一方、実施方法により前記取引登録情報は前記金額情報以外に商品情報、日時情報、加盟店関連情報、固有コードのうち少なくとも一つをさらに含むことができる。
【０２２９】
前記運営サーバー２００は、前記加盟店側の端末３００から前記取引登録情報と前記ＵＧＩＤを受信し７１５、前記取引登録情報とＵＧＩＤを連係して保存媒体に保存した後７２０、前記加盟店側の端末３００に前記ＵＧＩＤを符号化した音波信号の送出要請を含む登録結果情報を伝送する７２５。
【０２３０】
前記加盟店側の端末３００は、前記運営サーバー２００から前記ＵＧＩＤを符号化した音波信号の送出要請を含む登録結果情報を受信する７３０。一方、実施方法により前記加盟店側の端末３００は、指定されたシード情報を通じて確認／決定されるシード値を指定されたコード生成アルゴリズムに代入して前記ＵＧＩＤを通じて識別される対象（例えば、逆方向決済を要請した加盟店と前記加盟店側の端末３００を通じて登録された取引登録情報）を認証するための指定されたコード体系の使い捨てコードを動的生成することができる７３５。一方、実施方法により前記使い捨てコードは省略されるかまたは前記音波装置３６０を通じて生成可能であり、これによって本発明は限定されない。
【０２３１】
もし、前記使い捨てコードが生成されると、前記加盟店側の端末３００は、前記ＵＧＩＤと使い捨てコードを指定された構造で含む送出情報を構成し７４０、音波送出機能を通じて前記送出情報を符号化した指定された周波数帯域の音波信号を送出するように処理し７４５、前記送出情報が符号化された音波信号は近距離の使用者無線端末４００に受信され得る。
【０２３２】
図８は本発明の実施方法に係る使用者無線端末４００の取引情報確認および決済過程を図示した図面である。
【０２３３】
より詳細には、本図８は使用者無線端末４００の運営アプリ４２０で前記図６または図７の過程を通じて送出された音波信号を受信し判読してＵＧＩＤと使い捨てコードを認識し、運営サーバー２００に前記ＵＧＩＤと使い捨てコードを含む認識情報を伝送すると、前記運営サーバー２００で前記ＵＧＩＤを通じて加盟店を識別認証するとともに前記識別認証された加盟店で登録した取引登録情報のうち前記ＵＧＩＤを通じて唯一に識別されるいずれか一つの取引登録情報を確認した後、前記使用者無線端末４００の運営アプリ４２０に前記取引登録情報の金額情報に基づいて確認したか算出した取引金額を含む取引情報を提供すると、使用者無線端末４００で取引情報を利用して決済する過程の一実施例を図示したものであって、本発明が属した技術分野で通常の知識を有する者であれば、本図８を参照するか変形して前記取引情報確認過程に対する多様な実施方法（例えば、一部の段階が省略されるか、または順序が変更された実施方法）を類推することができるはずである。本発明は前記類推されるすべての実施方法を含み、本図８に図示された実施方法にのみその技術的特徴が限定されない。
【０２３４】
図８を参照すると、前記図６または図７に図示された過程を通じて加盟店側の端末３００でＵＧＩＤと使い捨てコードを符号化した指定された周波数帯域の音波信号が送出される場合、前記使用者無線端末４００の運営アプリ４２０は、前記使用者無線端末４００の音波入力部４１０を通じて指定された周波数帯域の音波信号が入力されたるのか確認する８００。もし、指定された周波数帯域の音波信号が入力されたのが確認されると、前記使用者無線端末４００の運営アプリ４２０は、前記入力された音波信号を判読してＵＧＩＤと使い捨てコードを認識する８０５。
【０２３５】
もし、前記音波装置３６０から入力された音波信号を通じて前記ＵＧＩＤと使い捨てコードが認識されると、前記使用者無線端末４００の運営アプリ４２０は、前記ＵＧＩＤと使い捨てコードを含む認識情報を構成して前記運営サーバー２００に前記ＵＧＩＤと使い捨てコードを含む認識情報を伝送する８１０。
【０２３６】
前記運営サーバー２００は、前記ＵＧＩＤと使い捨てコードを含む認識情報を受信し８１５、前記認識情報のＵＧＩＤを判読して前記ＵＧＩＤに隠匿された固有コードを読み出した後８２０、前記図５の過程を通じて登録された情報と前記読み出した固有コードを比較して逆方向決済を要請した加盟店を識別認証する８２５。
【０２３７】
一方、前記認識情報に含まれたＵＧＩＤを通じて逆方向決済を要請した加盟店が識別認証されないのであれば、前記運営サーバー２００は、前記使用者無線端末４００の運営アプリ４２０に前記認識情報に含まれたＵＧＩＤに対するエラー情報を提供し８３０、前記使用者無線端末４００の運営アプリ４２０は、前記エラー情報を受信して出力する８３５。
【０２３８】
一方、前記認識情報に含まれたＵＧＩＤを通じて逆方向決済を要請した加盟店が識別認証されて前記認識情報に使い捨てコードが含まれた場合、前記運営サーバー２００は、前記図５の過程を通じて前記ＵＧＩＤから読み出した固有コード（または前記識別認証された加盟店の加盟店関連情報）と連係して登録されたシード情報を確認し、前記確認されたシード情報を利用して前記認識情報に含まれた使い捨てコードの有効性を認証することができる８４０。
【０２３９】
もし、前記使い捨てコードの有効性が認証されないのであれば、前記運営サーバー２００は、前記使用者無線端末４００の運営アプリ４２０に前記認識情報に含まれた使い捨てコードに対するエラー情報を提供し８３０、前記使用者無線端末４００の運営アプリ４２０は、前記エラー情報を受信して出力する８３５。
【０２４０】
一方、前記認識情報のＵＧＩＤを通じて逆方向決済を要請した加盟店が識別認証され、実施方法により前記認識情報の使い捨てコードの有効性が認証されると、前記運営サーバー２００は、前記ＵＧＩＤを通じて少なくとも一定時間の間唯一に識別される取引登録情報を確認する８４５。もし、前記ＵＧＩＤを通じて識別される取引登録情報が確認されないのであれば、前記運営サーバー２００は、前記ＵＧＩＤを通じて固有識別される加盟店で前記ＵＧＩＤを通じて一定時間の間識別される取引登録情報が登録されるのか待機することがすることができ８５０、もし、前記ＵＧＩＤを通じて識別される唯一の取引登録情報が確認される場合、前記取引登録情報の金額情報に対応する取引金額を確認するか算出し８５５、前記使用者無線端末４００の運営アプリ４２０に前記確認／算出した取引金額を含む取引情報を提供し８６０、前記使用者無線端末４００の運営アプリ４２０は、前記取引金額を含む取引情報を受信して出力する８６５。
【０２４１】
前記使用者無線端末４００の運営アプリ４２０は、本発明の第１または第２決済実施例により使用者無線端末４００に備えられた決済アプリ４５０を駆動して前記決済アプリ４５０を通じて取引情報に対する決済を処理するようにすることができ８７０、前記使用者無線端末４００の決済アプリ４５０は、前記取引情報を確認して決済システム上の決済サーバー１０５と連動して前記取引情報に対する決済を処理することができる８７０。一方、前記使用者無線端末４００の運営アプリ４２０は、本発明の第３決済実施例により決済システム上の決済サーバー１０５と連動して前記取引情報に対する決済を処理することができる８７０。前記運営サーバー２００は、前記使用者無線端末４００の決済アプリ４５０や運営アプリ４２０と連動して決済を処理した決済サーバーから前記取引情報に対する決済結果情報を受信するか、または前記使用者無線端末４００の決済アプリ４５０や運営アプリ４２０から前記決済結果情報を受信した後、前記加盟店側の端末３００に前記決済結果情報を提供することができる。
【符号の説明】
【０２４２】
１００：認証サーバー
１０５：決済サーバー
２００：運営サーバー
２０５：情報保存部
２１０：取引登録受信部
２１５：ＵＧＩＤ確認部
２２０：取引登録管理部
２２５：音波送出要請部
２３０：認識情報受信部
２３５：識別／認証処理部
２４０：取引登録確認部
２４５：取引情報提供部
２５０：要請情報受信部
２５５：決済結果処理部
３００：加盟店側の端末
３２０：加盟店用のアプリ
３２５：情報登録部
３３０：取引登録部
３３５：ＵＧＩＤ処理部
３４０：コード生成部
３４５：信号送出処理部
３５０：結果処理部
４００：使用者無線端末
４２０：運営アプリ
４２５：信号確認部
４３０：信号認識部
４３５：認識情報伝送部
４４０：取引情報受信部
４４５：取引処理部
４５０：決済アプリ
【図１ａ】
2018530020.tif 000003
【図１ｂ】
2018530020.tif 000004
【図２】
2018530020.tif 000005
【図３ａ】
2018530020.tif 000006
【図３ｂ】
2018530020.tif 000007
【図４】
2018530020.tif 000008
【図５】
2018530020.tif 000009
【図６】
2018530020.tif 000010
【図７】
2018530020.tif 000011
【図８】
2018530020.tif 000012
【国際調査報告】
2018530020.tif 000013
2018530020.tif 000014
2018530020.tif 000015
2018530020.tif 000016